(57)【要約】【課題】  検体の分析結果と検体の搬送状況とを簡便に確認することが可能な検体処理システム及び検体情報表示装置を提供する。【解決手段】  検体を測定する複数の測定ユニットと、前記複数の測定ユニットへ供給する検体の搬送先を決定する搬送先決定手段と、前記搬送先決定手段によって決定された搬送先の測定ユニットへ、前記検体を搬送する検体搬送ユニットと、表示部と、前記測定ユニットによる測定に基づく分析結果が得られた検体についての該分析結果を前記表示部に表示させ、前記測定ユニットによる測定に基づく分析結果が得られていない検体についての搬送状況を前記表示部に表示させる表示制御手段と、を備える。【選択図】    図１
2010133917.tif 000002
【特許請求の範囲】
【請求項１】
検体を測定する複数の測定ユニットと、
前記複数の測定ユニットへ供給する検体の搬送先を決定する搬送先決定手段と、
前記搬送先決定手段によって決定された搬送先の測定ユニットへ、前記検体を搬送する検体搬送ユニットと、
表示部と、
前記測定ユニットによる測定に基づく分析結果が得られた検体についての該分析結果を前記表示部に表示させ、前記測定ユニットによる測定に基づく分析結果が得られていない検体についての搬送状況を前記表示部に表示させる表示制御手段と、
を備える、検体処理システム。
【請求項２】
入力部をさらに備え、
前記表示制御手段は、分析結果が得られていない検体については、該検体を特定する検体特定情報を前記表示部に表示させ、前記検体特定情報によって特定される検体が前記入力部を介して選択されたときには、選択された検体についての搬送状況を前記表示部に表示させるように構成されている、請求項１に記載の検体処理システム。
【請求項３】
前記搬送状況は、検体が過去に通過した搬送経路と、検体が将来通過する予定の搬送経路とを含む、請求項１又は２に記載の検体処理システム。
【請求項４】
検体処理システムにおける検体の位置を記憶する記憶部をさらに備え、
前記表示制御手段は、分析結果が得られていない検体が前記入力部を介して選択されたときには、選択された検体についての前記記憶部に記憶された位置を、前記表示部に表示させるように構成されている、請求項２又は３に記載の検体処理システム。
【請求項５】
検体の処理の経過に関する時間を取得する時間取得手段をさらに備え、
前記表示制御手段は、分析結果が得られていない検体が前記入力部を介して選択されたときには、選択された検体についての前記時間取得手段により取得された処理の経過に関する時間を前記表示部に表示させるように構成されている、請求項２乃至４の何れかに記載の検体処理システム。
【請求項６】
前記時間取得手段は、検体の処理完了までの残り時間を取得するように構成されており、
前記表示制御手段は、分析結果が得られていない検体が前記入力部を介して選択されたときには、選択された検体に関する処理の残り時間を前記表示部に表示させるように構成されている、請求項５に記載の検体処理システム。
【請求項７】
前記表示制御手段は、分析結果が得られた検体については、該検体を特定する検体特定情報と共に分析結果を前記表示部に表示させ、分析結果が得られた検体が前記入力部を介して選択されたときには、選択された検体が過去に通過した搬送履歴を前記表示部に表示させるように構成されている、請求項２乃至６の何れかに記載の検体処理システム。
【請求項８】
前記表示制御手段は、検体を検索するための検索条件の入力を受け付け可能な検索条件入力領域を前記表示部に表示させるように構成されており、
検索条件が前記入力部を介して前記検索条件入力領域へ入力されたときに、当該検索条件に合致する検体を検索する検索手段をさらに備え、
前記表示制御手段は、前記検索手段による検索結果を前記表示部に選択可能に表示させるように構成されている、請求項２乃至７の何れかに記載の検体処理システム。
【請求項９】
検体を測定する複数の測定ユニットと、前記複数の測定ユニットの一又は複数へ検体を搬送する検体搬送ユニットとを備える、検体処理ユニットにおける検体に関する検体情報を表示する検体情報表示装置であって、
表示部と、
前記測定ユニットによる測定に基づく分析結果が得られた検体についての該分析結果を前記表示部に表示させ、前記測定ユニットによる測定に基づく分析結果が得られていない検体についての搬送状況を前記表示部に表示させる表示制御手段と、
を備える、検体情報表示装置。
【請求項１０】
複数種類の測定ユニットに接続可能であり、複数種類の測定ユニットに基づく複数種類の分析結果を取得可能に構成されている、請求項９に記載の検体情報表示装置。
【発明の詳細な説明】
【技術分野】
【０００１】
本発明は、検体を測定する測定ユニットへ検体を搬送する検体処理システム及び前記検体処理システムにおける検体に関する情報を表示する検体情報表示装置に関する。
【背景技術】
【０００２】
従来、検体分析装置、塗抹標本作製装置等の複数の検体処理装置と、前記検体処理装置へ供給するために検体を搬送する搬送装置とを備え、搬送装置によって各検体処理装置へ検体を搬送し、搬送された検体を検体処理装置で処理する検体処理システムが知られている。
【０００３】
特許文献１には、モニタ上に表示されるシステム構成図中にラックの位置を、その検体の種類や性質によって区別してリアルタイムで表示する検体処理システムが開示されている。この特許文献１に記載された検体処理システムでは、メニューから情報内容として検体情報の選択とシステム構成図中に表示されるラックの中からのラック選択により、検体種別、投入時間、ポジション、検体番号、ホスト受付Ｎｏ．、及び患者氏名からなる検体情報を表示する。
【先行技術文献】
【特許文献】
【０００４】
【特許文献１】特開平１１−８３８６３号公報
【発明の概要】
【発明が解決しようとする課題】
【０００５】
しかしながら、上記特許文献１に記載された検体処理システムでは、上記のような検体情報は表示されるものの、検体の分析結果は表示されない。検査技師又は医師等のオペレータにとっては、検体の分析結果を確認することが重要であり、かかる特許文献１に記載された検体処理システムでは、検体の分析結果を確認するために、オペレータが検査処理システムとは別に設けられた分析結果を表示可能な装置を操作して分析結果の画面を表示させる必要があり、また当該装置において分析結果が得られていない検体の搬送の状況を確認したい場合には、オペレータが前記装置から検査処理システムまで戻ってモニタに表示されたラックの位置を確認する必要があり、多大な手間を要していた。
【０００６】
本発明は斯かる事情に鑑みてなされたものであり、その主たる目的は、分析結果と検体の搬送状況とを簡便に確認することが可能な検体処理システム及び検体情報表示装置を提供することにある。
【課題を解決するための手段】
【０００７】
上述した課題を解決するために、本発明の一の態様の検体処理システムは、検体を測定する複数の測定ユニットと、前記複数の測定ユニットへ供給する検体の搬送先を決定する搬送先決定手段と、前記搬送先決定手段によって決定された搬送先の測定ユニットへ、前記検体を搬送する検体搬送ユニットと、表示部と、前記測定ユニットによる測定に基づく分析結果が得られた検体についての該分析結果を前記表示部に表示させ、前記測定ユニットによる測定に基づく分析結果が得られていない検体についての搬送状況を前記表示部に表示させる表示制御手段と、を備える。
【０００８】
この態様においては、前記検体処理システムが、入力部をさらに備え、前記表示制御手段が、分析結果が得られていない検体については、該検体を特定する検体特定情報を前記表示部に表示させ、前記検体特定情報によって特定される検体が前記入力部を介して選択されたときには、選択された検体についての搬送状況を前記表示部に表示させるように構成されていることが好ましい。
【０００９】
この態様においては、前記搬送状況が、検体が過去に通過した搬送経路と、検体が将来通過する予定の搬送経路とを含むように構成されていることが好ましい。
【００１０】
この態様においては、前記検体処理システムが、検体処理システムにおける検体の位置を記憶する記憶部をさらに備え、前記表示制御手段が、分析結果が得られていない検体が前記入力部を介して選択されたときには、選択された検体についての前記記憶部に記憶された位置を、前記表示部に表示させるように構成されていることが好ましい。
【００１１】
また、上記態様においては、前記検体処理システムが、検体の処理の経過に関する時間を取得する時間取得手段をさらに備え、前記表示制御手段が、分析結果が得られていない検体が前記入力部を介して選択されたときには、選択された検体についての前記時間取得手段により取得された処理の経過に関する時間を前記表示部に表示させるように構成されていることが好ましい。
【００１２】
また、上記態様においては、前記時間取得手段が、検体の処理完了までの残り時間を取得するように構成されており、前記表示制御手段が、分析結果が得られていない検体が前記入力部を介して選択されたときには、選択された検体に関する処理の残り時間を前記表示部に表示させるように構成されていることが好ましい。
【００１３】
また、上記態様においては、前記表示制御手段が、分析結果が得られた検体については、該検体を特定する検体特定情報と共に分析結果を前記表示部に表示させ、分析結果が得られた検体が前記入力部を介して選択されたときには、選択された検体が過去に通過した搬送履歴を前記表示部に表示させるように構成されていることが好ましい。
【００１４】
また、上記態様においては、前記表示制御手段が、検体を検索するための検索条件の入力を受け付け可能な検索条件入力領域を前記表示部に表示させるように構成されており、前記検体処理システムが、検索条件が前記入力部を介して前記検索条件入力領域へ入力されたときに、当該検索条件に合致する検体を検索する検索手段をさらに備え、前記表示制御手段が、前記検索手段による検索結果を前記表示部に選択可能に表示させるように構成されていることが好ましい。
【００１５】
本発明の一の態様の検体情報表示装置は、検体を測定する複数の測定ユニットと、前記複数の測定ユニットの一又は複数へ検体を搬送する検体搬送ユニットとを備える、検体処理ユニットにおける検体に関する検体情報を表示する検体情報表示装置であって、表示部と、前記測定ユニットによる測定に基づく分析結果が得られた検体についての該分析結果を前記表示部に表示させ、前記測定ユニットによる測定に基づく分析結果が得られていない検体についての搬送状況を前記表示部に表示させる表示制御手段と、を備える。
【００１６】
この態様においては、前記検体情報表示装置が、複数種類の測定ユニットに接続可能であり、複数種類の測定ユニットに基づく複数種類の分析結果を取得可能に構成されていることが好ましい。
【発明の効果】
【００１７】
本発明に係る検体処理システム及び検体情報表示装置によれば、分析結果と検体の搬送状況とを簡便に確認することが可能となる。
【図面の簡単な説明】
【００１８】
【図１】実施の形態に係る検体処理システムの全体構成を示す概略平面図。
【図２】検体容器の外観を示す斜視図。
【図３】サンプルラックの外観を示す斜視図。
【図４】検体搬送装置の構成を示す平面図。
【図５】検体搬送装置の第１ベルトの構成を示す正面図。
【図６】検体搬送装置の第２ベルトの構成を示す正面図。
【図７】検体分析装置が備える測定ユニットの構成を示すブロック図。
【図８】検体分析装置が備える情報処理ユニットの構成を示すブロック図。
【図９】塗抹標本作製装置の概略構成を示すブロック図。
【図１０】検査情報管理装置の構成を示すブロック図。
【図１１】システム制御装置の測定オーダ取得動作の流れを示すフローチャート。
【図１２Ａ】システム制御装置の第１搬送指示処理の手順を示すフローチャート。
【図１２Ｂ】システム制御装置の第２搬送指示処理の手順を示すフローチャート。
【図１３】搬送状況データベースのレコードの構造を示す模式図。
【図１４】実施の形態に係る検体処理システムにおいて定められた位置情報を説明するための模式図。
【図１５】システム制御装置の搬送状況更新処理の手順を示すフローチャート。
【図１６Ａ】検体搬送装置の制御部による搬送機構の制御処理の流れを示すフローチャート（前半）。
【図１６Ｂ】検体搬送装置の制御部による搬送機構の制御処理の流れを示すフローチャート（後半）。
【図１７Ａ】実施の形態に係る血球分析装置による検体の分析動作の手順を示すフローチャート（前半）。
【図１７Ｂ】実施の形態に係る血球分析装置による検体の分析動作の手順を示すフローチャート（後半）。
【図１８】検査情報管理装置の測定オーダ提供処理の手順を示すフローチャート。
【図１９】検査情報管理装置の分析結果記録処理の手順を示すフローチャート。
【図２０Ａ】検査情報管理装置のシステムモニタ画面表示処理の流れを示すフローチャート。
【図２０Ｂ】検査情報管理装置の分析結果情報検索処理の流れを示すフローチャート。
【図２０Ｃ】検査情報管理装置９の検体搬送状況表示処理の流れを示すフローチャート。
【図２１Ａ】システムモニタ画面の一例を示す図。
【図２１Ｂ】検索条件入力ダイアログの一例を示す図。
【図２２】システム制御装置の搬送状況通知処理の流れを示すフローチャート。
【図２３】検査情報管理装置の表示画面の遷移の一例を示すフローチャート。
【図２４Ａ】検体処理システムがスタンバイ状態のときのシステムモニタ画面の一例を示す図。
【図２４Ｂ】検体が測定中のときのシステムモニタ画面の一例を示す図。
【図２４Ｃ】測定中の検体が選択状態のときのシステムモニタ画面の一例を示す図。
【図２４Ｄ】搬送中の測定完了検体が選択状態のときのシステムモニタ画面の一例を示す図。
【図２４Ｅ】検索条件が入力された検索条件入力ダイアログの一例を示す図。
【図２４Ｆ】検索条件が入力された検索条件入力ダイアログの他の例を示す図。
【図２４Ｇ】検体情報が検索された後のシステムモニタ画面の一例を示す図。
【図２４Ｈ】選択された検体の搬送が完了したときのシステムモニタ画面の一例を示す図。
【発明を実施するための形態】
【００１９】
以下、本発明の好ましい実施の形態を、図面を参照しながら説明する。
【００２０】
本実施の形態は、検体の分析結果と搬送状況とを表示可能な検査情報管理装置を備える検体処理システムである。
【００２１】
［検体処理システムの構成］
図１は、本実施の形態に係る検体処理システムの全体構成を示す概略平面図である。図１に示すように、検体処理システム１は、検体投入装置２と、検体搬送装置３，３０１と、検体収容装置４と、血球分析装置５と、塗抹標本作製装置６と、システム制御装置８と、検査情報管理装置９を備えている。また、システム制御装置８は、通信ネットワークを介して検査情報管理装置９と通信可能に接続されている。
【００２２】
＜検体投入装置２の構成＞
検体投入装置２は、検体投入ユニット２１と、バーコード読取ユニット２２と、検体送出ユニット２３とを備えている。バーコード読取ユニット２２は、検体投入ユニット２１と検体送出ユニット２３との間に配置されており、検体投入ユニット２１に投入された検体は、バーコード読取ユニット２２を経由して検体送出ユニット２３へ移送されるように構成されている。検体投入ユニット２１及び検体送出ユニット２３は、複数の検体容器を収納した後述するサンプルラックを載置することができるように構成されている。検体投入ユニット２１に載置されたサンプルラックは、順番にバーコード読取ユニット２２へ送出され、このバーコード読取ユニット２２によりサンプルラックに貼布されたバーコードラベルのバーコードからラックＩＤが読み取られ、検体容器に貼付されたバーコードラベルのバーコードから検体ＩＤが読み取られる。検体投入装置２はＣＰＵ及びメモリから構成された制御部２ａを備え、この制御部２ａにより検体投入ユニット２１、検体チェックユニット２２、及び検体送出ユニット２３の動作機構を制御することができる。検体投入装置２の制御部２ａは、ＬＡＮを介してシステム制御装置８に通信可能に接続されており、上述のように読み取られたラックＩＤ及び検体ＩＤがシステム制御装置８に送信される。また、バーコードの読み取りが終了したサンプルラックは、検体送出ユニット２３に搬送され、検体送出ユニット２３から検体搬送装置３へ送出されるように構成されている。
【００２３】
図２は、検体容器の外観を示す斜視図であり、図３は、サンプルラックの外観を示す斜視図である。図２に示すように、検体容器Ｔは、管状をなしており、上端が開口している。内部には患者から採取された血液検体が収容され、上端の開口は蓋部ＣＰにより密封されている。検体容器Ｔは、透光性を有するガラス又は合成樹脂により構成されており、内部の血液検体が視認可能となっている。また、検体容器Ｔの側面には、バーコードラベルＢＬ１が貼付されている。このバーコードラベルＢＬ１には、検体ＩＤを示すバーコードが印刷されている。サンプルラックＬは、１０本の検体容器Ｔを並べて保持することが可能である。サンプルラックＬでは、各検体容器Ｔが垂直状態（立位状態）で保持される。また、サンプルラックＬの側面には、バーコードラベルＢＬ２が貼付されている。このバーコードラベルＢＬ２には、ラックＩＤを示すバーコードが印刷されている。
【００２４】
＜検体搬送装置３の構成＞
次に、検体搬送装置３の構成について説明する。図１に示すように、検体処理システム１は、３つの検体搬送装置３を備えている。血球分析装置５の３つの測定ユニット５１，５１，５１の前方には、各別に検体搬送装置３，３，３が配置されている。隣り合う検体搬送装置３，３は接続されており、サンプルラックＬを受渡しすることが可能である。また、最も右側の検体搬送装置３は、上述した検体投入装置２に接続されており、検体投入装置２から搬出されたサンプルラックＬを受け入れることが可能となっている。最も左側の検体搬送装置３は、検体搬送装置３０１に接続されており、検体搬送装置３０１へサンプルラックＬを搬出することが可能となっている。
【００２５】
図４は、検体搬送装置３の構成を示す平面図である。図４に示すように、検体搬送装置３は、検体を搬送する搬送機構３１と、搬送機構３１を制御する制御部３２とを備えている。搬送機構３１は、分析が行われる前の検体を収容する検体容器Ｔを保持する複数のサンプルラックＬを一時的に保持することが可能な分析前ラック保持部３３と、測定ユニット５１によって検体が吸引された検体容器Ｔを保持する複数のサンプルラックＬを一時的に保持することが可能な分析後ラック保持部３４と、検体を測定ユニット５１に供給するために、サンプルラックＬを図中矢印Ｘ方向へ水平に直線移動させ、分析前ラック保持部３３から受け付けたサンプルラックＬを分析後ラック保持部３４へ搬送するラック搬送部３５と、搬送上流側の装置（検体投入装置２又は検体搬送装置３）からサンプルラックＬを搬入し、このサンプルラックＬに収容された検体を測定ユニット５１に供給せずに、搬送下流側の装置（検体搬送装置３又は検体搬送装置３０１）へとサンプルラックＬを搬出するラック搬送部３２１とを備えている。
【００２６】
分析前ラック保持部３３は、平面視において四角形をなしており、その幅はサンプルラックＬの幅より若干大きくなっている。この分析前ラック保持部３３は、周囲の面よりも一段低く形成されており、その上面に分析前のサンプルラックＬが載置される。分析前ラック保持部３３は、ラック搬送部３２１に連なっており、後述するラック送出部３２２によって、ラック搬送部３２１からサンプルラックＬが送り込まれるようになっている。この分析前ラック保持部３３の近傍には、ラックセンサ３７が取り付けられており、ラックセンサ３７によってサンプルラックＬが検出されるラック検出位置３３ａが、分析前ラック保持部３３上に設けられている。ラックセンサ３７は、光学式センサであり、発光部３７ａと受光部３７ｂとを備えている。発光部３７ａは、ラック検出位置３３ａの側方に設けられており、受光部３７ｂは、ラック検出位置３３ａの前方に設けられている。発光部３７ａは、斜め前方へ向けて光を発するように配置されており、受光部３７ｂはこの光を受けるように配置されている。したがって、ラック搬送部３２１から送り込まれたサンプルラックＬは、ラック検出位置３３ａに位置し、これによって発光部３７ａから発せられた光がサンプルラックＬによって遮られ、受光部３７ｂの受光レベルが下がることにより、当該サンプルラックＬがラックセンサ３７により検出される。また、分析前ラック保持部３３の両側面からは、内側へ向けてラック送込部３３ｂが突出可能に設けられている。ラックセンサ３７によりサンプルラックＬが検出されたときに、このラック送込部３３ｂが突出することによりサンプルラックＬと係合し、この状態で後方（ラック搬送部３５に近接する方向）へ移動することにより、サンプルラックＬが後方へと移送される。かかるラック送込部３３ｂは、分析前ラック保持部３３の下方に設けられたステッピングモータ３３ｃによって駆動可能に構成されている。
【００２７】
ラック搬送部３５は、図４に示すように、分析前ラック保持部３３によって移送されたサンプルラックＬを、前記Ｘ方向へと移送可能となっている。このラック搬送部３５によるサンプルラックＬの搬送経路上には、検体容器センサ３８によって検体容器が検出される検体容器検出位置３５ａ、及び血球分析装置５の測定ユニット５１へ検体を供給するための検体供給位置３５ｃが存在する。ラック搬送部３５は、検体容器検出位置３５ａを経由して、検体供給位置３５ｃに検体が搬送されるようにサンプルラックＬを搬送可能に構成されている。検体供給位置３５ｃは、検体容器検出位置３５ａから検体１つ分だけ搬送方向下流側に位置し、ラック搬送部３５により検体供給位置３５ｃに検体が搬送された場合には、後述する血球分析装置５の測定ユニット５１のハンド部が当該検体の検体容器Ｔを把持し、サンプルラックＬから検体容器Ｔを取り出し、検体容器Ｔから検体の吸引を行うことによって、検体が測定ユニット５１に供給される。ラック搬送部３５は、かかる検体供給位置３５ｃに検体容器を搬送した後、検体の供給が完了し、当該検体容器ＴがサンプルラックＬへ戻されるまでの間、サンプルラックＬの搬送を待機する。
【００２８】
また、ラック搬送部３５は、それぞれ独立して動作可能な第１ベルト３５１及び第２ベルト３５２の２つのベルトを有している。また、第１ベルト３５１及び第２ベルト３５２の矢印Ｙ方向の幅ｂ１及びｂ２は、それぞれサンプルラックＬの矢印Ｙ方向の幅Ｂの半分以下の大きさである。かかる第１ベルト３５１及び第２ベルト３５２は、ラック搬送部３５がサンプルラックＬを搬送するときにサンプルラックＬの幅Ｂからはみ出ないように並列に配置されている。図５は、第１ベルト３５１の構成を示す正面図であり、図６は、第２ベルト３５２の構成を示す正面図である。図５及び図６に示すように、第１ベルト３５１及び第２ベルト３５２は、それぞれ環状に形成されており、第１ベルト３５１はローラ３５１ａ〜３５１ｃを取り囲むように配置され、第２ベルト３５２はローラ３５２ａ〜３５２ｃを取り囲むように配置されている。また、第１ベルト３５１の外周部には、サンプルラックＬのＸ方向の幅Ｗよりも若干（例えば、１ｍｍ）大きい内幅ｗ１を有するように２つの突起片３５１ｄが設けられており、同様に、第２ベルト３５２の外周部には、前記内幅ｗ１と同程度の内幅ｗ２を有するように２つの突起片３５２ｄが設けられている。第１ベルト３５１は、２つの突起片３５１ｄの内側にサンプルラックＬを保持した状態において、ステッピングモータ３５１ｅ（図４参照）によりローラ３５１ａ〜３５１ｃの外周を移動されることによって、サンプルラックＬを矢印Ｘ方向に移動するように構成されている。第２ベルト３５２は、２つの突起片３５２ｄの内側にサンプルラックＬを保持した状態において、ステッピングモータ３５２ｅ（図４参照）によりローラ３５２ａ〜３５２ｃの外周を移動されることによって、サンプルラックＬを矢印Ｘ方向に移動するように構成されている。また、第１ベルト３５１及び第２ベルト３５２は、互いに独立してサンプルラックＬを移送可能に構成されている。
【００２９】
検体容器センサ３８は、接触型のセンサであり、のれん形状の接触片、光を出射する発光素子、及び受光素子（図示せず）をそれぞれ有している。検体容器センサは、接触片が検出対象の被検出物に当接することにより屈曲され、その結果、発光素子から出射された光が接触片により反射されて受光素子に入射するように構成されている。これにより検体容器センサ３８の下方をサンプルラックＬに収容された検出対象の検体容器Ｔが通過する際に、接触片が検体容器Ｔにより屈曲されて、検体容器Ｔを検出することが可能である。
【００３０】
ラック搬送部３５を挟んで後述する分析後ラック保持部３４に対向するようにラック送出部３９が配置されている。かかるラック送出部３９は、ステッピングモータ３９ａの駆動力により矢印Ｙ方向に水平に直線移動するように構成されている。これにより、分析後ラック保持部３４とラック送出部３９との間の位置３９１（以下、「分析後ラック送出位置」という。）にサンプルラックＬが搬送された場合に、ラック送出部３９を分析後ラック保持部３４側に移動することによって、サンプルラックＬを押動させて分析後ラック保持部３４内に移動することが可能である。このようにして、分析が完了したサンプルラックＬが、ラック搬送部３５から分析後ラック保持部３４へ送出される。
【００３１】
ラック搬送部３２１は、図中矢印Ｘ方向へ延びており、サンプルラックＬを矢印Ｘ方向へ水平に直線移動させることが可能である。かかるラック搬送部３２１は、環状のベルト３２１ａ及びステッピングモータ３２１ｂを有しており、ステッピングモータ３２１ｂの駆動力によってベルト３２１ａを矢印Ｘ方向へ回転させるように構成されている。これにより、ベルト３２１ａの上に載置されたサンプルラックＬをＸ方向へ移動可能である。また、分析前ラック保持部３３の前側には、ラック搬送部３２１を挟んで分析前ラック保持部３３に対向するようにラック送出部３２２が配置されている。かかるラック送出部３２２は、ステッピングモータ３２２ａの駆動力により矢印Ｙ方向に水平に直線移動するように構成されている。これにより、分析前ラック保持部３３とラック送出部３２２との間の位置３２３（以下、「分析前ラック送出位置」という。）にサンプルラックＬが搬送された場合に、ラック送出部３２２を分析前ラック保持部３３側に移動することによって、サンプルラックＬを押動させて分析前ラック保持部３３内のラック検出位置３３ａに移動することが可能である。
【００３２】
分析後ラック保持部３４は、平面視において四角形をなしており、その幅はサンプルラックＬの幅より若干大きくなっている。この分析後ラック保持部３４は、周囲の面よりも一段低く形成されており、その上面に分析が完了したサンプルラックＬが載置される。分析後ラック保持部３４は、上記のラック搬送部３５に連なっており、上述したように、ラック送出部３９によって、ラック搬送部３５からサンプルラックＬが送り込まれるようになっている。分析後ラック保持部３４の両側面からは、内側へ向けてラック送込部３４ｂが突出可能に設けられている。ラック送出部３９によりサンプルラックＬが搬入されたときに、このラック送込部３４ｂが突出することによりサンプルラックＬと係合し、この状態で前方（ラック搬送部３２１に近接する方向）へ移動することにより、サンプルラックＬが前方へと移送される。かかるラック送込部３４ｂは、分析後ラック保持部３４の下方に設けられたステッピングモータ３４ｃによって駆動可能に構成されている。
【００３３】
かかる構成とすることにより、搬送機構３１には、検体供給位置３５ｃを経由するサンプルラックＬの搬送ラインである測定ラインＬ１と、検体供給位置３５ｃを経由せずに、搬入したサンプルラックＬをそのまま下流側の装置へ搬出する搬送ラインであるスキップラインＬ２とが形成されている。
【００３４】
上記のような構成の搬送機構３１は、制御部３２によって制御される。制御部３２は、ＣＰＵ、ＲＯＭ、及びＲＡＭ等（図示せず）から構成されており、ＲＯＭに格納された搬送機構３１の制御プログラムをＣＰＵで実行することが可能である。また、かかる制御部３２は、Ethernet（登録商標）インタフェースを備えており、ＬＡＮを介して情報処理ユニット５２及びシステム制御装置８にそれぞれ通信可能に接続されている。
【００３５】
上記のような構成とすることにより、検体搬送装置３は、検体投入装置２から搬送されたサンプルラックＬを、ラック搬送部３２１により分析前ラック送出位置３２３へ搬送し、ラック送出部３２２により分析前ラック保持部３３へ移送し、このサンプルラックＬを分析前ラック保持部３３からラック搬送部３５へと送出し、さらにラック搬送部３５によって搬送することにより、検体を血球分析装置５の測定ユニット５１へと供給することができる。また、吸引が完了した検体を収容するサンプルラックＬは、ラック搬送部３５により、分析後ラック送出位置３９１へと移送され、ラック送出部３９により分析後ラック保持部３４へ送出される。分析後ラック保持部３４に保持されたサンプルラックＬは、ラック搬送部３２１へと移送され、ラック搬送部３２１により、後段の装置（検体搬送装置３又は３０１）へ搬出される。また、搬送下流側の測定ユニット５１又は塗抹標本作製装置６にて処理する検体若しくは分析が完了した検体を収容するサンプルラックＬを前段の装置から検体搬送装置３が受け入れた場合は、ラック搬送部３２１によってこのサンプルラックＬが矢印Ｘ方向へと搬送され、後段の検体搬送装置３へそのまま搬出される。
【００３６】
＜検体搬送装置３０１の構成＞
図１に示すように、塗抹標本作製装置６の前側には、検体搬送装置３０１が配置されている。この検体搬送装置３０１は、その右側端が、３つの検体搬送装置３，３，３の内、最も搬送下流側（図中左側）に位置する検体搬送装置３と接続されており、その左側端が、検体収容装置４に接続されている。
【００３７】
検体搬送装置３０１は、コンベア３０２とラックスライダ３０３とを備えている。コンベア３０２には、それぞれ左右方向へ延びた２つのラック搬送路３０２ａ，３０２ｂが設けられている。塗抹標本作製装置６に近接するラック搬送路３０２ａは、塗抹標本作製装置６に供給すべき検体を収容するサンプルラックＬを搬送するための測定ラインである。一方、塗抹標本作製装置６から離れたラック搬送路３０２ｂは、塗抹標本作製装置６に供給すべき検体を収容していないサンプルラックＬを搬送するためのスキップラインである。また、コンベア３０２は、ＣＰＵ及びメモリを備えており、各動作機構を制御する制御部（図示せず）を備えている。
【００３８】
ラックスライダ３０３は、コンベア３０２の右側に配置されており、コンベア３０２の測定ライン３０２ａ及びスキップライン３０２ｂへサンプルラックＬの振り分け投入を行う。
【００３９】
＜検体収容装置４の構成＞
検体収容装置４は、複数のサンプルラックＬを載置することができるように構成されている。かかる検体収容装置４は、分析又は塗抹標本作製を終了したサンプルラックＬを検体搬送装置３０１から受け取り、収容する。
【００４０】
＜血球分析装置５の構成＞
血球分析装置５は、光学式フローサイトメトリー方式の多項目血球分析装置であり、血液検体に含まれる血球に関して側方散乱光強度、蛍光強度等を取得し、これらに基づいて検体中に含まれる血球を分類し、且つ、種類毎に血球数を計数し、このように分類された血球が種類毎に色分けされたスキャッタグラムを作成し、これを表示する。かかる血球分析装置５は、血液検体を測定する測定ユニット５１と、測定ユニット５１から出力された測定データを処理し、血液検体の分析結果を表示する情報処理ユニット５２とを備えている。
【００４１】
血球分析装置５は、図１に示すように、３つの測定ユニット５１，５１，５１と、１つの情報処理ユニット５２とを備えている。情報処理ユニット５２は、３つの測定ユニット５１，５１，５１と通信可能に接続されており、これらの３つの測定ユニット５１，５１，５１の動作をそれぞれ制御可能である。また、情報処理ユニット５２は、３つの測定ユニット５１，５１，５１の前側にそれぞれ配置された３つの検体搬送装置３，３，３とも通信可能に接続されている。
【００４２】
３つの測定ユニット５１，５１，５１は、同一の構成である。図７は、測定ユニット５１の構成を示すブロック図である。図７に示すように、測定ユニット５１は、検体である血液を検体容器（採血管）Ｔから吸引する検体吸引部５１１と、検体吸引部５１１により吸引した血液から測定に用いられる測定試料を調製する試料調製部５１２と、試料調製部５１２により調製された測定試料から血球を検出する検出部５１３とを有している。また、測定ユニット５１は、検体搬送装置３のラック搬送部３５によって搬送されたサンプルラックＬに収容された検体容器Ｔを測定ユニット５１の内部に取り込むための取込口（図示せず）と、サンプルラックＬから検体容器Ｔを測定ユニット５１の内部に取り込み、検体吸引部５１１による吸引位置まで検体容器Ｔを搬送する検体容器搬送部５１５とをさらに有している。
【００４３】
検体吸引部５１１の先端部には、吸引管（図示せず）が設けられている。また、検体吸引部５１１は、鉛直方向に移動可能であり、下方に移動されることにより、吸引位置まで搬送された検体容器Ｔの蓋部ＣＰを前記吸引管が貫通し、内部の血液を吸引するように構成されている。
【００４４】
試料調製部５１２は、複数の反応チャンバ（図示せず）を備えている。また、試料調製部５１２は、図示しない試薬容器に接続されており、染色試薬、溶血剤、及び希釈液等の試薬を反応チャンバに供給することが可能である。試料調製部５１２は、検体吸引部５１１の吸引管とも接続されており、吸引管により吸引された血液検体を反応チャンバに供給することが可能である。かかる試料調製部５１２は、反応チャンバ内で検体と試薬とを混合撹拌し、検出部５１３による測定用の試料（測定試料）を調製する。
【００４５】
検出部５１３は、ＲＢＣ（赤血球）検出及びＰＬＴ（血小板）検出をシースフローＤＣ検出法により行うことが可能である。このシースフローＤＣ検出法によるＲＢＣ及びＰＬＴの検出においては、検体と希釈液とが混合された測定試料の測定が行われ、これにより得られた測定データを情報処理ユニット５２が解析処理することによりＲＢＣ及びＰＬＴの測定が行われる。また、検出部５１３は、ＨＧＢ（ヘモグロビン）検出をＳＬＳ−ヘモグロビン法により行うことが可能であり、ＷＢＣ（白血球）、ＮＥＵＴ（好中球）、ＬＹＭＰＨ（リンパ球）、ＥＯ（好酸球）、ＢＡＳＯ（好塩基球）、及びＭＯＮＯ（単球）の検出を、半導体レーザを使用したフローサイトメトリー法により行うことが可能であるように構成されている。この検出部５１３では、白血球の５分類を伴わないＷＢＣの検出、すなわち、ＮＥＵＴ、ＬＹＭＰＨ、ＥＯ、ＢＡＳＯ、ＭＯＮＯの検出を伴わないＷＢＣの検出と、白血球の５分類を伴うＷＢＣの検出とでは、検出方法が異なっている。白血球５分類を伴わないＷＢＣの検出では、検体と、溶血剤と、希釈液とが混合された測定試料の測定が行われ、これにより得られた測定データを情報処理ユニット５２が解析処理することによりＷＢＣの測定が行われる。一方、白血球５分類を伴うＷＢＣの検出では、染色試薬と、溶血剤と、希釈液とが混合された測定試料の測定が行われ、これにより得られた測定データを情報処理ユニット５２が解析処理することによりＮＥＵＴ、ＬＹＭＰＨ、ＥＯ、ＢＡＳＯ、ＭＯＮＯ、及びＷＢＣの測定が行われる。
【００４６】
検体容器搬送部５１５は、検体容器Ｔを把持可能なハンド部５１５ａを備えている。ハンド部５１５ａは、互いに対向して配置された一対の把持部材を備えており、この把持部材を互いに近接及び離反させることが可能である。かかる把持部材を、検体容器Ｔを挟んだ状態で近接させることにより、検体容器Ｔを把持することができる。また、検体容器搬送部５１５は、ハンド部５１５ａを上下方向及び前後方向（Ｙ方向）に移動させることができ、さらに、ハンド部５１５ａを揺動させることができる。これにより、サンプルラックＬに収容され、検体供給位置３５ｃに位置した検体容器Ｔをハンド部５１５ａにより把持し、その状態でハンド部５１５ａを上方に移動させることによりサンプルラックＬから検体容器Ｔを抜き出し、ハンド部５１５ａを揺動させることにより、検体容器Ｔ内の検体を撹拌することができる。
【００４７】
また、検体容器搬送部５１５は、検体容器Ｔを挿入可能な穴部を有する検体容器セット部５１５ｂを備えている。上述したハンド部５１５ａによって把持された検体容器Ｔは、撹拌完了後移動され、把持した検体容器Ｔを検体容器セット部５１５ｂの穴部に挿入する。その後、把持部材を離反させることにより、ハンド部５１５ａから検体容器Ｔが開放され、検体容器セット部５１５ｂに検体容器Ｔがセットされる。かかる検体容器セット部５１５ｂは、図示しないステッピングモータの動力によって、Ｙ方向へ水平移動可能である。測定ユニット５１の内部には、バーコード読取部５１６が設けられている。検体容器セット部５１５ｂは、バーコード読取部５１６の近傍のバーコード読取位置５１６ａ及び検体吸引部５１１による吸引位置５１１ａへ移動可能である。検体容器セット部５１５ｂがバーコード読取位置５１６ａへ移動したときには、セットされた検体容器Ｔが図示しない回転機構により水平回転され、バーコード読取部５１６により検体バーコードが読み取られる。これにより、検体容器ＴのバーコードラベルＢＬ１がバーコード読取部５１６に対して反対側に位置する場合でも、検体容器Ｔを回転させることにより、バーコードラベルＢＬ１をバーコード読取部５１６へ向けることができ、バーコード読取部５１６に検体バーコードを読み取らせることが可能である。また、検体容器セット部５１５ｂが吸引位置へ移動したときには、検体吸引部５１１により、セットされた検体容器Ｔから検体が吸引される。
【００４８】
次に、情報処理ユニット５２の構成について説明する。情報処理ユニット５２は、コンピュータにより構成されている。図８は、情報処理ユニット５２の構成を示すブロック図である。情報処理ユニット５２は、コンピュータ５２ａによって実現される。図８に示すように、コンピュータ５２ａは、本体５２１と、画像表示部５２２と、入力部５２３とを備えている。本体５２１は、ＣＰＵ５２１ａ、ＲＯＭ５２１ｂ、ＲＡＭ５２１ｃ、ハードディスク５２１ｄ、読出装置５２１ｅ、入出力インタフェース５２１ｆ、通信インタフェース５２１ｇ、及び画像出力インタフェース５２１ｈを備えており、ＣＰＵ５２１ａ、ＲＯＭ５２１ｂ、ＲＡＭ５２１ｃ、ハードディスク５２１ｄ、読出装置５２１ｅ、入出力インタフェース５２１ｆ、通信インタフェース５２１ｇ、及び画像出力インタフェース５２１ｈは、バス５２１ｊによって接続されている。
【００４９】
ＣＰＵ５２１ａは、ＲＡＭ５２１ｃにロードされたコンピュータプログラムを実行することが可能である。そして、後述するような検体分析用及び測定ユニット５１の制御用のコンピュータプログラム５２４ａを当該ＣＰＵ５２１ａが実行することにより、コンピュータ５２ａが情報処理ユニット５２として機能する。
【００５０】
ＲＯＭ５２１ｂは、マスクＲＯＭ、ＰＲＯＭ、ＥＰＲＯＭ、又はＥＥＰＲＯＭ等によって構成されており、ＣＰＵ５２１ａに実行されるコンピュータプログラム及びこれに用いるデータ等が記録されている。
【００５１】
ＲＡＭ５２１ｃは、ＳＲＡＭまたはＤＲＡＭ等によって構成されている。ＲＡＭ５２１ｃは、ハードディスク５２１ｄに記録されているコンピュータプログラム５２４ａの読み出しに用いられる。また、ＣＰＵ５２１ａがコンピュータプログラム５２４ａを実行するときに、ＣＰＵ５２１ａの作業領域として利用される。
【００５２】
ハードディスク５２１ｄは、オペレーティングシステム及びアプリケーションプログラム等、ＣＰＵ５２１ａに実行させるための種々のコンピュータプログラム及び当該コンピュータプログラムの実行に用いられるデータがインストールされている。後述するコンピュータプログラム５２４ａも、このハードディスク５２１ｄにインストールされている。
【００５３】
読出装置５２１ｅは、フレキシブルディスクドライブ、ＣＤ−ＲＯＭドライブ、またはＤＶＤ−ＲＯＭドライブ等によって構成されており、可搬型記録媒体５２４に記録されたコンピュータプログラムまたはデータを読み出すことができる。また、可搬型記録媒体５２４には、コンピュータを情報処理ユニット５２として機能させるためのコンピュータプログラム５２４ａが格納されており、コンピュータ５２ａが当該可搬型記録媒体５２４からコンピュータプログラム５２４ａを読み出し、当該コンピュータプログラム５２４ａをハードディスク５２１ｄにインストールすることが可能である。
【００５４】
なお、前記コンピュータプログラム５２４ａは、可搬型記録媒体５２４によって提供されるのみならず、電気通信回線（有線、無線を問わない）によってコンピュータ５２ａと通信可能に接続された外部の機器から前記電気通信回線を通じて提供することも可能である。例えば、前記コンピュータプログラム５２４ａがインターネット上のサーバコンピュータのハードディスク内に格納されており、このサーバコンピュータにコンピュータ５２ａがアクセスして、当該コンピュータプログラムをダウンロードし、これをハードディスク５２１ｄにインストールすることも可能である。
【００５５】
また、ハードディスク５２１ｄには、例えば米マイクロソフト社が製造販売するWindows（登録商標）等のマルチタスクオペレーティングシステムがインストールされている。以下の説明においては、本実施の形態に係るコンピュータプログラム５２４ａは当該オペレーティングシステム上で動作するものとしている。
【００５６】
入出力インタフェース５２１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース５２１ｆには、キーボード及びマウスからなる入力部５２３が接続されており、ユーザが当該入力部５２３を使用することにより、コンピュータ５２ａにデータを入力することが可能である。また、入出力インタフェース５２１ｆは、３つの測定ユニット５１，５１，５１に接続されている。これにより、３つの測定ユニット５１，５１，５１のそれぞれとの間でデータの送受信が可能となっている。
【００５７】
通信インタフェース５２１ｇは、Ethernet（登録商標）インタフェースである。通信インタフェース５２１ｇはＬＡＮを介してシステム制御装置８に接続されている。コンピュータ５２ａは、通信インタフェース５２１ｇにより、所定の通信プロトコルを使用して当該ＬＡＮに接続されたシステム制御装置８との間でデータの送受信が可能である。また、かかる通信インタフェース５２１ｇは、上記のＬＡＮを介して検査情報管理装置９及び各検体搬送装置３，３，３に通信可能に接続されている。
【００５８】
画像出力インタフェース５２１ｈは、ＬＣＤまたはＣＲＴ等で構成された画像表示部５２２に接続されており、ＣＰＵ５２１ａから与えられた画像データに応じた映像信号を画像表示部５２２に出力するようになっている。画像表示部５２２は、入力された映像信号にしたがって、画像（画面）を表示する。
【００５９】
＜塗抹標本作製装置６の構成＞
塗抹標本作製装置６は、血液検体を吸引し、スライドガラス上に滴下して、その血液検体をスライドガラス上で薄く引き延ばし、乾燥させた上で、当該スライドガラスに染色液を供給してスライドガラス上の血液を染色することにより、塗抹標本を作製する。
【００６０】
図９は、塗抹標本作製装置６の概略構成を示すブロック図である。図９に示すように、塗抹標本作製装置６は、検体分注部６１と、塗抹部６２と、スライドガラス搬送部６３と、染色部６４と、制御部６５とを備えている。
【００６１】
検体分注部６１は、吸引管（図示せず）を備えており、この吸引管を図１に示す検体搬送装置３０１の測定ライン３０２ａ上を搬送されたサンプルラックＬの検体容器Ｔの蓋部ＣＰに突き刺して、この検体容器Ｔから血液検体を吸引する。また、検体分注部６１は、吸引した血液検体をスライドガラス上に滴下するように構成されている。塗抹部６２は、スライドガラス上に滴下された血液検体を塗抹して乾燥させ、さらに、スライドガラスに印字するように構成されている。
【００６２】
スライドガラス搬送部６３は、塗抹部６２によって血液検体が塗抹されたスライドガラスを図示しないカセットに収容させ、さらにそのカセットを搬送するために設けられている。染色部６４は、スライドガラス搬送部６３によって染色位置まで搬送されたカセット内のスライドガラスに対して、染色液を供給する。制御部６５は、検体搬送装置３から与えられた標本作製指示にしたがって、検体分注部６１、塗抹部６２、スライドガラス搬送部６３、及び染色部６４を制御し、上記の塗抹標本作製動作を実行させる。
【００６３】
＜システム制御装置８の構成＞
システム制御装置８は、コンピュータにより構成されており、検体処理システム１の全体を制御する。このシステム制御装置８は、検体投入装置２からサンプルラックＬの番号を受け付け、そのサンプルラックＬの搬送先を決定する。
【００６４】
システム制御装置８は、コンピュータ８ａによって実現される。図８に示すように、コンピュータ８ａは、本体８１と、画像表示部８２と、入力部８３とを備えている。本体８１は、ＣＰＵ８１ａ、ＲＯＭ８１ｂ、ＲＡＭ８１ｃ、ハードディスク８１ｄ、読出装置８１ｅ、入出力インタフェース８１ｆ、通信インタフェース８１ｇ、及び画像出力インタフェース８１ｈを備えており、ＣＰＵ８１ａ、ＲＯＭ８１ｂ、ＲＡＭ８１ｃ、ハードディスク８１ｄ、読出装置８１ｅ、入出力インタフェース８１ｆ、通信インタフェース８１ｇ、及び画像出力インタフェース８１ｈは、バス８１ｊによって接続されている。
【００６５】
ハードディスク８１ｄは、オペレーティングシステム及びアプリケーションプログラム等、ＣＰＵ８１ａに実行させるための種々のコンピュータプログラム及び当該コンピュータプログラムの実行に用いられるデータがインストールされている。後述するシステム制御プログラム８４ａも、このハードディスク８１ｄにインストールされている。
【００６６】
また、ハードディスク８１ｄには、搬送状況データベースが設けられている。この搬送状況データベースには、サンプルラック毎に、処理の進行状況を示すデータが記憶される。なお、搬送状況データベースの詳しい説明は後述する。
【００６７】
読出装置８１ｅは、フレキシブルディスクドライブ、ＣＤ−ＲＯＭドライブ、またはＤＶＤ−ＲＯＭドライブ等によって構成されており、可搬型記録媒体８４に記録されたコンピュータプログラムまたはデータを読み出すことができる。また、可搬型記録媒体８４には、コンピュータをシステム制御装置８として機能させるためのシステム制御プログラム８４ａが格納されており、コンピュータ８ａが当該可搬型記録媒体８４からシステム制御プログラム８４ａを読み出し、当該システム制御プログラム８４ａをハードディスク８１ｄにインストールすることが可能である。
【００６８】
入出力インタフェース８１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース８１ｆには、キーボード及びマウスからなる入力部８３が接続されており、ユーザが当該入力部８３を使用することにより、コンピュータ８ａにデータを入力することが可能である。
【００６９】
通信インタフェース８１ｇは、Ethernet（登録商標）インタフェースである。通信インタフェース８１ｇはＬＡＮを介して検体投入装置２、検体搬送装置３、検体収容装置４、情報処理ユニット５２、及び検査情報管理装置９に接続されている。コンピュータ８ａは、通信インタフェース８１ｇにより、所定の通信プロトコルを使用して当該ＬＡＮに接続された上記の各装置との間でデータの送受信が可能である。
【００７０】
なお、システム制御装置８のその他の構成は、上述した情報処理ユニット５２の構成と同様であるので、その説明を省略する。
【００７１】
＜検査情報管理装置９の構成＞
検査情報管理装置９は、臨床検査情報システム（ＬＩＳ：Laboratory Information System）である。検査情報管理装置９は、コンピュータにより構成されており、検体処理システム１が備える血球分析装置５及び他のシステムが備える血球分析装置５とは異なる種類の検体分析装置（例えば、血液凝固測定装置、免疫分析装置、生化学分析装置、尿分析装置等）と接続されており、これらの検体分析装置による分析結果を記憶し、またこれらの分析結果を表示する。
【００７２】
図１０は、検査情報管理装置９の構成を示すブロック図である。検査情報管理装置９は、コンピュータ９ａによって実現される。図１０に示すように、コンピュータ９ａは、本体９１と、画像表示部９２と、入力部９３とを備えている。本体９１は、ＣＰＵ９１ａ、ＲＯＭ９１ｂ、ＲＡＭ９１ｃ、ハードディスク９１ｄ、読出装置９１ｅ、入出力インタフェース９１ｆ、通信インタフェース９１ｇ、及び画像出力インタフェース９１ｈを備えており、ＣＰＵ９１ａ、ＲＯＭ９１ｂ、ＲＡＭ９１ｃ、ハードディスク９１ｄ、読出装置９１ｅ、入出力インタフェース９１ｆ、通信インタフェース９１ｇ、及び画像出力インタフェース９１ｈは、バス９１ｊによって接続されている。
【００７３】
ハードディスク９１ｄは、オペレーティングシステム及びアプリケーションプログラム等、ＣＰＵ９１ａに実行させるための種々のコンピュータプログラム及び当該コンピュータプログラムの実行に用いられるデータがインストールされている。後述する検査情報管理プログラム９４ａも、このハードディスク９１ｄにインストールされている。
【００７４】
また、ハードディスク９１ｄには、測定オーダデータベースＤＢ１が設けられている。測定オーダデータベースＤＢ１には、測定オーダが登録される。測定オーダには、検体ＩＤ及び実施対象の測定項目の情報が含まれている。検査情報管理装置９は、他の装置から検体ＩＤを含む測定オーダの要求データを受信したときには、この検体ＩＤに対応する測定データを測定オーダデータベースＤＢ１から読み出し、要求元の装置へ送信するように構成されている。
【００７５】
また、ハードディスク９１ｄには、分析結果データベースＤＢ２が設けられている。分析結果データベースＤＢ２には、検体分析装置による検体の分析結果が記憶される。分析結果には、検体ＩＤ、検体の分析によって得られた各種の数値データ（ＲＢＣ、ＰＬＴ、ＨＧＢ、ＷＢＣ、ＮＥＵＴ、ＬＹＭＰＨ、ＥＯ、ＢＡＳＯ、ＭＯＮＯ等）並びにスキャッタグラム及びヒストグラム等の分布図データが含まれている。また、分析結果データベースＤＢ２には、検体の測定に使用した測定ユニットを示す測定ユニット特定データが記憶される。検査情報管理装置９は、接続された検体分析装置から分析結果を受信した場合に、当該分析結果及び測定ユニット特定データを分析結果データベースＤＢ２に登録する。また、検査情報管理装置９は、オペレータから与えられた指示に応じて、分析結果データベースＤＢ２から検体の分析結果を読み出し、かかる分析結果を画像表示部９２に表示する。また、上記の測定オーダデータベースＤＢ１に測定オーダが登録されたときに、この測定オーダに含まれる検体ＩＤを含む新規レコード（つまり、分析結果を含まないレコード）が、この分析結果データベースＤＢ２に登録される。
【００７６】
読出装置９１ｅは、フレキシブルディスクドライブ、ＣＤ−ＲＯＭドライブ、またはＤＶＤ−ＲＯＭドライブ等によって構成されており、可搬型記録媒体９４に記録されたコンピュータプログラムまたはデータを読み出すことができる。また、可搬型記録媒体９４には、コンピュータを検査情報管理装置９として機能させるための検査情報管理プログラム９４ａが格納されており、コンピュータ９ａが当該可搬型記録媒体９４から検査情報管理プログラム９４ａを読み出し、当該検査情報管理プログラム９４ａをハードディスク９１ｄにインストールすることが可能である。
【００７７】
入出力インタフェース９１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース９１ｆには、キーボード及びマウスからなる入力部９３が接続されており、ユーザが当該入力部９３を使用することにより、コンピュータ９ａにデータを入力することが可能である。
【００７８】
通信インタフェース９１ｇは、Ethernet（登録商標）インタフェースである。通信インタフェース９１ｇはＬＡＮを介して検体投入装置２、検体搬送装置３、検体収容装置４、情報処理ユニット５２、及びシステム制御装置８に接続されている。コンピュータ９ａは、通信インタフェース９１ｇにより、所定の通信プロトコルを使用して当該ＬＡＮに接続された上記の各装置との間でデータの送受信が可能である。
【００７９】
なお、検査情報管理装置９のその他の構成は、上述した情報処理ユニット５２の構成と同様であるので、その説明を省略する。
【００８０】
［検体処理システムの動作］
以下、本実施の形態に係る検体処理システム１の動作について説明する。
【００８１】
［検体処理動作］
まず、検体処理システム１が検体を搬送し、検体の処理（測定又は塗抹標本の作製）を行う検体処理動作について説明する。
【００８２】
＜検体投入装置２の動作＞
オペレータは、検体容器Ｔを収容したサンプルラックＬを検体投入ユニット２１に載置し、検体投入ユニット２１の操作パネル（図示せず）を操作して、検体処理システム１に処理開始の指示を与える。検体投入装置２の制御部２ａは、かかる処理開始の指示を受け付け、これによりサンプルラックＬの移送を開始する。検体投入ユニット２１に載置されたサンプルラックＬは、検体投入ユニット２１上を後方へ移送され、その後、サンプルラックＬは左方向へと移送され、バーコード読取ユニット２２へと受け渡される。
【００８３】
バーコード読取ユニット２２に導入されたサンプルラックＬは、制御部２ａにより、搬送路上を左方向へ移送される。そして、サンプルラックＬのラックバーコード及び検体容器Ｔの検体バーコードがバーコードリーダにより読み取られる。読み取られたラックＩＤ及び検体ＩＤは、制御部２ａによりシステム制御装置８へ送信される。次いで、サンプルラックがさらに左方向へ移送され、検体送出ユニット２３へこのサンプルラックＬが移送される。制御部２ａは、検体送出ユニット２３が受け入れたサンプルラックＬを検体送出ユニット２３上で移送する。その後、検体投入装置２が、ラックＩＤを含む搬出要求データをシステム制御装置８へ送信し、システム制御装置８から送信される搬出指示データを待機する。検体投入装置２は、システム制御装置８から搬出指示データを受信したときには、サンプルラックＬを隣接する検体搬送装置３へ搬出し、搬出完了データをシステム制御装置８へ送信する。
【００８４】
＜システム制御装置８の動作＞
次に、システム制御装置８の動作について説明する。
【００８５】
システム制御装置８の測定オーダ取得動作
システム制御装置８は、検体投入装置２から検体ＩＤを受信し、この検体ＩＤをキーとして検査情報管理装置９に測定オーダを問い合わせて測定オーダを取得する。ここで、測定オーダとは、検体に対して分析を行うべき分析項目の指示を示すデータであり、検体ＩＤ、患者ＩＤ及び患者氏名等の検体の属性情報と、分析項目の情報とが含まれる。以下、この動作を詳しく説明する。
【００８６】
図１１は、システム制御装置８の測定オーダ取得動作の流れを示すフローチャートである。上述したように、検体投入装置２は、バーコードリーダにより読み出した検体ＩＤ及びラックＩＤをシステム制御装置８へ送信する。かかるラックＩＤ及び検体ＩＤは、システム制御装置８の通信インタフェース８１ｇにより受信される（ステップＳ１０１）。ＣＰＵ８１ａにおいて、ラックＩＤ及び検体ＩＤを受信するイベントが発生すると、ステップＳ１０２の処理が呼び出される。
【００８７】
ステップＳ１０２において、ＣＰＵ８１ａは、受信した検体ＩＤのうちの１つを含むオーダ要求データを検査情報管理装置９へ送信し、検査情報管理装置９にその検体ＩＤに対応する測定オーダを要求する（ステップＳ１０２）。ＣＰＵ８１ａは、測定オーダの受信を待機し（ステップＳ１０３においてＮＯ）、検査情報管理装置９から送信された測定オーダがシステム制御装置８に受信されると（ステップＳ１０３においてＹＥＳ）、受信した測定オーダをラックＩＤに対応付けてハードディスク８１ｄに記憶する（ステップＳ１０４）。
【００８８】
次に、ＣＰＵ８１ａは、ラックＩＤに対応している検体ＩＤ、即ち、そのラックＩＤのサンプルラックＬに収容されている全ての検体の検体ＩＤについて測定オーダの問い合わせが完了したか否かを判定し（ステップＳ１０５）、測定オーダの問い合わせをしていない検体ＩＤが存在する場合には（ステップＳ１０５においてＮＯ）、ステップＳ１０２に処理を戻し、まだ測定オーダの問い合わせを行っていない検体ＩＤに対応する測定オーダを検査情報管理装置９に要求する。
【００８９】
一方、全ての検体ＩＤについて測定オーダの問い合わせが完了した場合には（ステップＳ１０５においてＹＥＳ）、ＣＰＵ８１ａは、当該サンプルラックＬの各検体の測定オーダに基づいて、当該サンプルラックＬに収容された全検体の処理に要する時間（以下、「処理時間」という。）を算出する（ステップＳ１０６）。なお、この処理時間の算出は、測定項目毎にあらかじめ定められた検体の測定時間に、検体搬送装置３によるサンプルラックＬの搬送時間を加算することにより算出される。ＣＰＵ８１ａは、このようにして算出した処理時間をラックＩＤ、検体ＩＤ、及び現在の時刻（処理開始時刻）に対応付けてハードディスク８１ｄに記憶し（ステップＳ１０７）、処理を終了する。
【００９０】
システム制御装置８から検体投入装置２への搬送指示処理
システム制御装置８は、検体投入装置２から搬出要求データを受信し、この搬出要求データに含まれるラックＩＤを用いて、サンプルラックＬの搬送先を決定し、決定した搬送先へ搬送するよう各装置へサンプルラックＬの搬送を指示する。以下、この動作を詳しく説明する。
【００９１】
図１２Ａは、システム制御装置８の第１搬送指示処理の手順を示すフローチャートである。第１搬送指示処理では、サンプルラックＬの搬送先が決定され、搬送方向最上流側の測定ユニット５１の前方に配置された検体搬送装置３に搬送指示が与えられる。検体投入装置２から送信された搬出要求データは、システム制御装置８の通信インタフェース８１ｇにより受信される（ステップＳ１１１）。ＣＰＵ８１ａにおいて、搬出要求データを受信するイベントが発生すると、ステップＳ１１２の処理が呼び出される。
【００９２】
ステップＳ１１２において、ＣＰＵ８１ａは、受信した搬出要求データに含まれるラックＩＤをキーにして、ハードディスク８１ｄに記憶されている測定オーダを検索する（ステップＳ１１２）。次に、ＣＰＵ８１ａは、受信した各測定オーダに含まれる測定項目に基づいて、このサンプルラックＬの搬送先を決定する（ステップＳ１１３）。この処理では、その時点において測定を行っていない測定ユニット５１又は測定の予約数が最も少ない測定ユニット５１であって、測定オーダに含まれる測定項目を全て実行可能な測定ユニット５１が測定先として決定される。
【００９３】
次に、ＣＰＵ８１ａは、当該サンプルラックＬのラックＩＤ及び当該サンプルラックＬが収容している検体の検体ＩＤに対応付けて、決定した搬送先を経由する搬送ルートを示す情報を搬送状況データベースに登録する（ステップＳ１１４）。図１３は、搬送状況データベースのレコードの構造を示す模式図である。図に示すように、搬送状況データベースには、ラックＩＤ、検体ＩＤを含むレコードが登録される。またこのレコードには、サンプルラックＬの位置情報が複数含まれている。図１４は、検体処理システム１において定められた位置情報を説明するための模式図である。図に示すように、本実施形態では、検体送出ユニット２３を示す位置情報をＳＴＹ、搬送方向１番目の検体搬送装置３のラック搬入位置（当該検体搬送装置３のラック搬送部３２１上の最も上流側の位置）を示す位置情報をＸ１−１、この検体搬送装置３の測定ラインＬ１を示す位置情報をＸ１−２、この検体搬送装置３のスキップラインＬ２を示す位置情報をＸ１−３、この検体搬送装置３のラック搬出位置（当該検体搬送装置３のラック搬送部３２１上の最も下流側の位置）を示す位置情報をＸ１−４としている。また、搬送方向２番目の検体搬送装置３のラック搬入位置、測定ラインＬ１、スキップラインＬ２、及びラック搬出位置をそれぞれ示す位置情報をＸ２−１、Ｘ２−２、Ｘ２−３、及びＸ２−４としている。同様に、搬送方向３番目の検体搬送装置３のラック搬入位置、測定ラインＬ１、スキップラインＬ２、及びラック搬出位置をそれぞれ示す位置情報をＸ３−１、Ｘ３−２、Ｘ３−３、及びＸ３−４としている。さらに、検体搬送装置３０１のラックスライダ３０３を示す位置情報をＲＳ、検体搬送装置３０１のコンベア３０２の測定ライン３０２ａ及びスキップライン３０２ｂを示す位置情報をＣ１及びＣ２、並びに検体収容装置４を示す位置情報をＳＫＹとしている。図１３に示すように、搬送状況データベースのレコードには、搬送ルートで経由する位置情報が順番に格納される。また、各位置情報に対応付けて、その位置を通過したか否かを示す通過フラグのフィールドが設けられる。通過フラグには、未通過のときには「０」がセットされ、通過済みの場合には「１」がセットされる。新規のレコードが登録されるときには、検体送出ユニット２３を示す位置情報に対応する通過フラグに「１」がセットされ、他の全ての通過フラグに「０」がセットされる。
【００９４】
図１３に示す搬送状況データベースは、サンプルラックＬのバーコードラベルＢＬ２の内容がＡ００００１であり、このサンプルラックが位置情報Ｘ１−３すなわち搬送方向１番目の検体搬送装置３のスキップラインＬ２に位置していることを示している。
【００９５】
図１２Ａに戻り、次に、ＣＰＵ８１ａは、検体投入装置２に隣接する検体搬送装置３（つまり、図１中で最も右側の検体搬送装置３）へ、決定した搬送先に基づいて、サンプルラックＬの搬入準備指示データを送信する（ステップＳ１１５）。この搬入準備指示データは、この検体搬送装置３においてサンプルラックＬを搬送する搬送ライン（測定ラインＬ１又はスキップラインＬ２）を示すデータ（以下、「使用搬送ライン指示データ」という）、及びサンプルラックＬの各検体の測定オーダを含んでいる。つまり、このサンプルラックＬの搬送先が、サンプルラックＬの搬送方向において最も上流側の測定ユニット５１である場合には、搬入準備指示データにおいて、使用搬送ライン指示データとして測定ラインＬ１を示すデータがセットされる。一方、それ以外の測定ユニット５１が搬送先として決定されている場合には、搬入準備指示データにおいて、使用搬送ライン指示データとしてスキップラインＬ２を示すデータがセットされる。この搬入準備指示データを受信した検体搬送装置３は、搬入準備指示データに含まれる使用搬送ライン指示データによって示される搬送機構の準備動作（サンプルラックＬの受け入れを可能とする動作）を実行し、その後、搬入準備完了データを送信する。
【００９６】
ＣＰＵ８１ａは、前記検体搬送装置３から搬入準備完了データを待機する（ステップＳ１１６においてＮＯ）。搬入準備完了データが検体搬送装置３から送信され、この搬入準備完了データをシステム制御装置８が受信した場合には（ステップＳ１１６においてＹＥＳ）、ＣＰＵ８１ａは、検体投入装置２へ、サンプルラックＬの搬出指示データを送信する（ステップＳ１１７）。検体投入装置２は、上述したように、搬出指示データを受信したときには、サンプルラックＬを検体搬送装置３へ搬出し、搬出完了データを送信する。ＣＰＵ８１ａは、前記検体投入装置２から搬出完了データを待機する（ステップＳ１１８においてＮＯ）。搬出完了データが検体投入装置２から送信され、この搬出完了データをシステム制御装置８が受信した場合には（ステップＳ１１８においてＹＥＳ）、ＣＰＵ８１ａは、検体搬送装置３から搬入完了データを待機する（ステップＳ１１９においてＮＯ）。搬入完了データが検体搬送装置３から送信され、この搬入完了データをシステム制御装置８が受信した場合には（ステップＳ１１９においてＹＥＳ）、ＣＰＵ８１ａは、搬送状況データベースのこのラックＩＤに対応するレコードに含まれる位置情報であって、サンプルラックＬの搬送方向における最も上流側の検体搬送装置３のラック搬入位置を示す位置情報（つまり、「Ｘ１−１」）に対応する通過フラグに「１」をセットする（ステップＳ１２０）。その後、ＣＰＵ８１ａは、処理を終了する。
【００９７】
次に、システム制御装置８から検体搬送装置３に送信される第２搬送指示処理について説明する。第２搬送指示処理では、何れかの検体搬送装置３にサンプルラックＬの搬送指示が与えられる。図１２Ｂは、第２搬送指示処理の手順を示すフローチャートである。検体搬送装置３によりサンプルラックＬが搬送され、サンプルラックＬを後段の検体搬送装置３（又は検体搬送装置３０１）へ搬出するための搬出位置にサンプルラックＬが到達したときには、このサンプルラックＬのラックＩＤを含む搬出要求データが検体搬送装置３から送信される。検体搬送装置３から送信された搬出要求データは、システム制御装置８の通信インタフェース８１ｇにより受信される（ステップＳ１３１）。ＣＰＵ８１ａにおいては、検体搬送装置３から搬出要求データを受信するイベントが発生すると、ステップＳ１３２の処理が呼び出される。
【００９８】
ステップＳ１３２において、ＣＰＵ８１ａは、受信した搬出要求データに含まれるラックＩＤに対応する搬送状況データベースのレコードに含まれる位置情報であって、当該検体搬送装置３のラック搬出位置を示す位置情報に対応する通過フラグに「１」をセットする（ステップＳ１３２）。搬出要求データには、送信元の検体搬送装置３を特定する装置ＩＤが含まれており、これによりどの検体搬送装置３から当該搬出要求データが送信されたかを特定することができる。ＣＰＵ８１ａは、上記のステップＳ１３２の処理においては、搬送方向１番目、２番目及び３番目の検体搬送装置３のうち、上記のように特定された検体搬送装置３のラック搬出位置（当該検体搬送装置３のラック搬送部３２１上の最も下流側の位置）を示す位置情報の通過フラグを更新する。
【００９９】
次に、ＣＰＵ８１ａは、当該検体搬送装置３の後段の検体搬送装置３へ、搬送先決定処理で決定された搬送先に基づいて、サンプルラックＬの搬入準備指示データを送信する（ステップＳ１３３）。この搬入準備指示データは、上述した搬入準備指示データと同様であるので、その説明を省略する。
【０１００】
次に、ＣＰＵ８１ａは、前記検体搬送装置３から搬入準備完了データを待機する（ステップＳ１３４においてＮＯ）。搬入準備完了データが検体搬送装置３から送信され、この搬入準備完了データをシステム制御装置８が受信した場合には（ステップＳ１３４においてＹＥＳ）、ＣＰＵ８１ａは、前段（搬出側）の検体搬送装置３へ、サンプルラックＬの搬出指示データを送信する（ステップＳ１３５）。前段の検体搬送装置３は、搬出指示データを受信したときには、サンプルラックＬを後段の検体搬送装置３へ搬出し、搬出完了データを送信する。ＣＰＵ８１ａは、前段の検体搬送装置３から搬出完了データを待機し（ステップＳ１３６においてＮＯ）、搬出完了データが前段の検体搬送装置３から送信され、この搬出完了データをシステム制御装置８が受信した場合には（ステップＳ１３６においてＹＥＳ）、ＣＰＵ８１ａは、後段の検体搬送装置３から搬入完了データを待機する（ステップＳ１３７においてＮＯ）。搬入完了データが後段の検体搬送装置３から送信され、この搬入完了データをシステム制御装置８が受信した場合には（ステップＳ１３７においてＹＥＳ）、ＣＰＵ８１ａは、このラックＩＤに対応する搬送状況データベースのレコードに含まれる位置情報であって、当該検体搬送装置３のラック搬入位置を示す位置情報に対応する通過フラグに「１」をセットする（ステップＳ１３８）。搬入完了データには、送信元の検体搬送装置３を特定する装置ＩＤが含まれており、これによりどの検体搬送装置３から当該搬入完了データが送信されたかを特定することができる。ＣＰＵ８１ａは、上記のステップＳ１３８の処理においては、搬送方向１番目、２番目及び３番目の検体搬送装置３のうち、上記のように特定された検体搬送装置３のラック搬入位置を示す位置情報の通過フラグを更新する。かかる搬送状況データベースの更新処理を完了した後、ＣＰＵ８１ａは、処理を終了する。
【０１０１】
また、検体搬送装置３０１及び検体収容装置４に対しても、システム制御装置８は上述と同様の第２搬送指示処理を実行し、搬送状況データベースの通過フラグを更新する。
【０１０２】
搬送状況更新処理
サンプルラックＬが搬送されている間に、システム制御装置８は当該サンプルラックＬの搬送状況データベースのレコードを更新する。以下、この動作について説明する。
【０１０３】
図１５は、システム制御装置８の搬送状況更新処理の手順を示すフローチャートである。後述するように、検体搬送装置３からは、搬送状況更新要求データが送信される。かかる搬送状況更新要求データは、システム制御装置８の通信インタフェース８１ｇにより受信される（ステップＳ１４１）。ＣＰＵ８１ａにおいて、搬送状況更新要求データを受信するイベントが発生すると、ステップＳ１４２の処理が呼び出される。
【０１０４】
ステップＳ１４２において、ＣＰＵ８１ａは、搬送状況更新要求データに含まれるラックＩＤに対応する搬送状況データベースのレコードに含まれる位置情報であって、当該搬送状況更新要求データに含まれる位置情報に対応する通過フラグに「１」をセットする（ステップＳ１４２）。搬送状況更新要求データには、送信元の検体搬送装置３において現在サンプルラックＬが存在している位置を示す位置情報が含まれている。ＣＰＵ８１ａは、上記のステップＳ１４２の処理においては、搬送状況更新要求データに含まれる位置情報に対応する通過フラグを更新する。つまり、搬送方向１番目の検体搬送装置３の測定ラインＬ１にサンプルラックＬが位置している場合には、搬送状況更新要求データに、位置情報「Ｘ１−２」が含まれており、上記のステップＳ１４２の処理では、このサンプルラックＬのラックＩＤに対応するレコードにおける位置情報「Ｘ１−２」に対応する通過フラグが「１」に更新される。また、搬送方向２番目の検体搬送装置３のスキップラインＬ２にサンプルラックＬが位置している場合には、搬送状況更新要求データに、位置情報「Ｘ２−３」が含まれており、上記のステップＳ１４２の処理では、このサンプルラックＬのラックＩＤに対応するレコードにおける位置情報「Ｘ２−３」に対応する通過フラグが「１」に更新される。ＣＰＵ８１ａは、このようなステップＳ１４２の処理の後、搬送状況更新処理を終了する。
【０１０５】
また、検体搬送装置３０１及び検体収容装置４からも同様に搬送状況更新要求データが送信され、システム制御装置８は上述と同様の搬送状況更新処理を実行して、搬送状況データベースを更新する。
【０１０６】
＜検体搬送装置３の制御部３２の動作＞
ここでは、測定ユニット５１の前方に配置された検体搬送装置３の制御部３２の動作について説明する。図１６Ａ及び図１６Ｂは、制御部３２による搬送機構３１の制御処理の流れを示すフローチャートである。システム制御装置８から送信された搬入準備指示データは、制御部３２により受信される（ステップＳ２０１）。制御部３２のＣＰＵにより実行される搬送制御プログラムはイベントドリブン型のプログラムであり、制御部３２においては、搬入準備指示データを受信するイベントが発生すると、ステップＳ２０２の処理が呼び出される。
【０１０７】
ステップＳ２０２において、制御部３２は、搬送機構３１のベルト３２１ａを駆動する等して、搬入準備動作を実行する（ステップＳ２０２）。搬入準備が完了したときには、制御部３２は、搬入準備が完了したことを通知するための搬入準備完了データをシステム制御装置８へ送信する（ステップＳ２０３）。
【０１０８】
搬入準備完了データの送信に応じて、サンプルラックＬが前段の装置から搬出され、これによってサンプルラックＬが搬送機構３１に搬入される（ステップＳ２０４）。サンプルラックＬの搬入が完了したときには、制御部３２は、ラックＩＤ及び当該検体搬送装置３の装置ＩＤを含む、サンプルラックＬの搬入完了を通知するための搬入完了データをシステム制御装置８へ送信する（ステップＳ２０５）。
【０１０９】
次に、制御部３２は、搬入準備指示データに含まれる使用搬送ライン指示データが、測定ラインＬ１及びスキップラインＬ２のいずれを示しているか、すなわち、測定ラインＬ１及びスキップラインＬ２のいずれが使用対象の搬送ラインであるかを判定する（ステップＳ２０６）。ステップＳ２０６において、搬入準備指示データに含まれる使用搬送ライン指示データが測定ラインＬ１を示している場合、すなわち、測定ラインＬ１が使用対象の搬送ラインである場合には（ステップＳ２０６において「測定ラインＬ１」）、制御部３２は、搬送機構３１を制御して、サンプルラックＬの検体容器Ｔの保持部の内、図３において最も左側に位置する保持部が検体容器検出位置に到達するまで移送する（ステップＳ２０７）。次に制御部３２は、ラックＩＤ、当該検体搬送装置３の測定ラインＬ１を示す位置情報を含む搬送状況更新要求データをシステム制御装置８へと送信する（ステップＳ２０８）。
【０１１０】
次に、制御部３２は、サンプルラックＬにおける検体容器Ｔの保持位置を示す変数ｉに１をセットし（ステップＳ２０９）、検体容器センサ３８によって検体容器検出位置に検体容器Ｔが検出されたか否かを判定し（ステップＳ２１０）、検体容器Ｔが検出された場合には（ステップＳ２１０においてＹＥＳ）、サンプルラックＬを１検体分左方向へ移送し（ステップＳ２１１）、情報処理ユニット５２へ検体の吸引指示を示す検体吸引指示データを送信する（ステップＳ２１２）。これにより、検体容器センサ３８によって検出された検体容器Ｔが検体供給位置３５ｃに位置することとなり、後述するように検体が吸引される。制御部３２は、検体吸引完了データを受信するまで待機し（ステップＳ２１３においてＮＯ）、検体吸引完了データを受信した場合に（ステップＳ２１３においてＹＥＳ）、処理をステップＳ２１５へ進める。
【０１１１】
一方、ステップＳ２１０において検体容器Ｔが検出されなかった場合には（ステップＳ２１０においてＮＯ）、制御部３２は、サンプルラックＬを１検体分左方向へ移送し（ステップＳ２１４）、処理をステップＳ２１５へ進める。ステップＳ２１５において、制御部３２は、ｉが１０以上であるか否かを判定し（ステップＳ２１５）、ｉが１０未満である場合には（ステップＳ２１５においてＮＯ）、ｉを１インクリメントし（ステップＳ２１６）、ステップＳ２１０へ処理を戻す。
【０１１２】
ステップＳ２１５において、ｉが１０以上である場合には（ステップＳ２１５においてＹＥＳ）、制御部３２は、搬送機構３１を制御することにより、サンプルラックＬを搬出するための搬出位置にサンプルラックＬを到達させる（ステップＳ２１７）。その後、制御部３２は、処理をステップＳ２２０へ移す。
【０１１３】
一方、ステップＳ２０６において、搬入準備指示データに含まれる使用搬送ライン指示データがスキップラインＬ２を示している場合、すなわち、スキップラインＬ２が使用対象の搬送ラインである場合には（ステップＳ２０６において「スキップラインＬ２」）、制御部３２は、ラックＩＤ、当該検体搬送装置３のスキップラインＬ２を示す位置情報を含む搬送状況更新要求データをシステム制御装置８へと送信する（ステップＳ２１８）。
【０１１４】
次に、制御部３２は、搬送機構３１を制御して、サンプルラックＬをスキップラインＬ２上で移送し、サンプルラックＬを搬出するための搬出位置に到達させる（ステップＳ２１９）。その後、制御部３２は、処理をステップＳ２２０へ移す。
【０１１５】
ステップＳ２２０において、制御部３２は、サンプルラックＬに割り当てられたラックＩＤ、及び当該検体搬送装置３の装置ＩＤを含む搬出要求データをシステム制御装置８に送信する（ステップＳ２２０）。その後、制御部３２は、システム制御装置８から搬出指示データを待機し（ステップＳ２２１においてＮＯ）、搬出指示データを受信したときには（ステップＳ２２１においてＹＥＳ）、ステッピングモータ３２１ｂを駆動してサンプルラックＬを隣接する検体搬送装置３へ搬出し（ステップＳ２２２）、搬出完了データをシステム制御装置８へ送信する（ステップＳ２２３）。そして、制御部３２は、処理を終了する。
【０１１６】
＜血球分析装置５の動作＞
次に、血球分析装置５の動作について説明する。情報処理ユニット５２は、測定ユニット５１，５１，５１の動作を制御して検体の測定を行い、また測定によって得られた測定データを解析する。
【０１１７】
図１７Ａ及び図１７Ｂは、本実施の形態に係る血球分析装置５による検体の分析動作の手順を示すフローチャートである。まず、検体搬送装置３の制御部３２から送信された吸引指示データを情報処理ユニット５２が受信する（ステップＳ３０１）。ＣＰＵ５２１ａにおいて、吸引指示データを受信するというイベントが発生すると、ステップＳ３０２の処理が呼び出される。この吸引指示データには、動作対象の測定ユニット５１の測定ユニットＩＤが含まれる。
【０１１８】
ステップＳ３０２において、ＣＰＵ５２１ａは、検体容器搬送部５１５を制御し、検体供給位置３５ｃにある検体容器ＴをサンプルラックＬから抜き出し（ステップＳ３０２）、ハンド部５１５ａを制御して検体容器Ｔを揺動させ、内部の検体を撹拌する（ステップＳ３０３）。次に、ＣＰＵ５２１ａは、ハンド部５１５ａを制御して、検体容器セット部５１５ｂに検体容器Ｔをセットし（ステップＳ３０４）、さらに検体容器搬送部５１５を制御して、検体容器Ｔをバーコード読取位置５１６ａへ搬送する（ステップＳ３０５）。次に、ＣＰＵ５２１ａは、バーコード読取部５１６により検体容器Ｔの検体バーコードを読み取り、検体ＩＤを取得する（ステップＳ３０６）。さらにＣＰＵ５２１ａは、検体ＩＤを含むオーダ要求データを通信インタフェース５２１ｇに検査情報管理装置９へ送信させ（ステップＳ３０７）、測定オーダを問い合わせる。その後、ＣＰＵ５２１ａは、測定オーダの受信を待機し（ステップＳ３０８においてＮＯ）、検査情報管理装置９から送信された測定オーダが情報処理ユニット５２の通信インタフェース５２１ｇにより受信されると（ステップＳ３０８においてＹＥＳ）、受信した測定オーダをハードディスク５２１ｄに記憶する（ステップＳ３０９）。
【０１１９】
次に、ＣＰＵ５２１ａは、検体容器搬送部５１５を制御して、検体容器Ｔを吸引位置へ搬送し（ステップＳ３１０）、検体吸引部５１１を制御し、記憶した測定オーダに含まれる測定項目に必要な量の検体を検体容器Ｔから吸引する（ステップＳ３１１）。検体の吸引が完了した後には、ＣＰＵ５２１ａは、検体容器搬送部５１５を制御して、検体容器ＴをサンプルラックＬへ戻し（ステップＳ３１２）、検体吸引完了データを、このサンプルラックＬを搬送している検体搬送装置３へ送信する（ステップＳ３１３）。これにより、上述したようにサンプルラックＬがラック搬送部３５により搬送される。
【０１２０】
また、ＣＰＵ５２１ａは、試料調製部５１２を制御し、測定項目に応じて測定試料を調製し（ステップＳ３１４）、検出部５１３に測定試料を供給して、検出部５１３により検体の測定を行う（ステップＳ３１５）。これにより、ＣＰＵ５２１ａは、検出部５１３から出力される測定データを取得する。ＣＰＵ５２１ａは、測定データの解析処理を実行し（ステップＳ３１６）、検体中に含まれる血球を分類し、且つ、種類毎に血球数を計数し、このように分類された血球が種類毎に色分けされたスキャッタグラムを作成する。測定データの解析処理により生成された分析結果データは、測定オーダに含まれる患者情報等と共にハードディスク５２１ｄに格納され（ステップＳ３１７）、また、検査情報管理装置９へ送信される（ステップＳ３１８）。検査情報管理装置９は、上述した測定オーダに分析結果データを統合してハードディスクに記憶する。ステップＳ３１８の処理を完了した後、ＣＰＵ５２１ａは、処理を終了する。
【０１２１】
＜検査情報管理装置９の動作＞
測定オーダ提供処理
検査情報管理装置９は、上述のようにシステム制御装置８又は情報処理ユニット５２から測定オーダの要求を受け付けたときには、該当する測定オーダを要求元の装置へ提供する。以下、かかる測定オーダ提供処理について説明する。
【０１２２】
図１８は、検査情報管理装置９の測定オーダ提供処理の手順を示すフローチャートである。システム制御装置８又は情報処理ユニット５２からは、オーダ要求データが送信される。かかるオーダ要求データは、検査情報管理装置９の通信インタフェース９１ｇにより受信される（ステップＳ４０１）。ＣＰＵ９１ａにおいて、オーダ要求データを受信するイベントが発生すると、ステップＳ４０２の処理が呼び出される。
【０１２３】
ステップＳ４０２において、ＣＰＵ９１ａは、受信したオーダ要求データに含まれる検体ＩＤを検索キーとして、測定オーダデータベースＤＢ１から測定オーダを検索する（ステップＳ４０２）。次にＣＰＵ９１ａは、検索された測定オーダを要求元の装置へ送信し（ステップＳ４０３）、処理を終了する。
【０１２４】
分析結果記録処理
検査情報管理装置９は、上述のように情報処理ユニット５２から分析結果を受信したときには、当該分析結果及び測定ユニット特定データを分析結果データベースＤＢ２に記憶する。以下、かかる分析結果記録処理について説明する。
【０１２５】
図１９は、検査情報管理装置９の分析結果記録処理の手順を示すフローチャートである。情報処理ユニット５２からは、分析結果データが送信される。かかる分析結果データは、検査情報管理装置９の通信インタフェース９１ｇにより受信される（ステップＳ４１１）。ＣＰＵ９１ａにおいて、分析結果データを受信するイベントが発生すると、ステップＳ４１２の処理が呼び出される。
【０１２６】
上述したように、分析結果データベースＤＢ２には、測定オーダが登録されたときに当該測定オーダに含まれる検体ＩＤを含む新規レコードが登録される。したがって、分析結果が得られたときには、当該検体ＩＤのレコードが既に分析結果データベースＤＢ２に存在している。したがって、ＣＰＵ９１ａは、受信した分析結果データに含まれる検体ＩＤを検索キーにして、同じ検体ＩＤを含むレコードを分析結果データベースＤＢ２から検索する（ステップＳ４１２）。次にＣＰＵ９１ａは、検索したレコードに分析結果を追加して、このレコードを更新する（ステップＳ４１３）。この後、ＣＰＵ９１ａは、処理を終了する。
【０１２７】
＜検体搬送装置３０１の動作＞
搬送方向において最も下流側に位置する検体搬送装置３から送出されたサンプルラックＬは、ラックスライダ３０３に導入される。ラックスライダ３０３は、詳細は省略するが、システム制御装置８からの指示を受け付け、サンプルラックＬをコンベア３０２の測定ライン３０２ａ及びスキップライン３０２ｂの何れかへ送出する。測定ライン３０２ａにサンプルラックＬが搬入された場合には、コンベア３０２の制御部が測定ライン３０２ａを動作させ、塗抹標本作製装置６へ検体を供給する供給位置に塗抹標本作製対象の検体容器Ｔが位置するように、サンプルラックＬを搬送する。塗抹標本作製装置６への検体の供給が完了した後は、さらに測定ライン３０２ａが駆動され、検体収容装置４へとサンプルラックＬが搬出される。また、スキップライン３０２ｂにサンプルラックＬが搬入された場合には、コンベア３０２の制御部がスキップライン３０２ｂを動作させ、サンプルラックＬをスキップライン３０２ｂ上で搬送して、検体収容装置４へ搬出する。
【０１２８】
また、検体搬送装置３０１は、ラックスライダ３０３にサンプルラックＬを搬入したときには、ラックＩＤ及び装置ＩＤを含む搬入完了データをシステム制御装置８へ送信し、コンベア３０２の測定ライン３０２ａでサンプルラックＬを搬送するときには、ラックＩＤ及び測定ライン３０２ａを示す位置情報（つまり、「Ｃ１」）を含む搬送状況更新要求データをシステム制御装置８へ送信する。また、コンベア３０２のスキップライン３０２ｂでサンプルラックＬを搬送するときには、ラックＩＤ及びスキップライン３０２ｂを示す位置情報（つまり、「Ｃ２」）を含む搬送状況更新要求データをシステム制御装置８へ送信する。これらのデータを受信したシステム制御装置８は、搬送状況データベースの当該サンプルラックＬのレコードを更新する。
【０１２９】
＜検体収容装置４の動作＞
検体搬送装置３０１から送出されたサンプルラックＬは、検体収容装置４に導入される。検体収容装置４は、かかるサンプルラックＬをラック載置部上で搬送し、収容する。
【０１３０】
また、検体収容装置４は、検体搬送装置３０１は、サンプルラックＬを搬入したときには、ラックＩＤ及び装置ＩＤを含む搬入完了データをシステム制御装置８へ送信する。かかる搬入完了データを受信したシステム制御装置８は、搬送状況データベースの当該サンプルラックＬのレコードを更新する。
【０１３１】
［分析結果表示動作］
次に、検体処理システム１による検体の分析結果を検査情報管理装置９で表示する分析結果表示動作について説明する。
【０１３２】
＜検査情報管理装置９の動作＞
図２０Ａは、検査情報管理装置９のシステムモニタ画面表示処理の流れを示すフローチャートである。検査情報管理装置９は、分析結果又は測定オーダ等の臨床検査情報を管理するための種々の画面を画像表示部９２に表示する。かかる画面が画像表示部９２に表示されている状態において、オペレータが入力部９３に所定の入力操作を行うことにより、システムモニタ画面の表示要求を検査情報管理装置９に与えることができる。検査情報管理装置９のＣＰＵ９１ａは、かかるシステムモニタ画面の表示指示を受け付ける（ステップＳ５０１）。ＣＰＵ９１ａにおいて、システムモニタ画面の表示要求を受け付けるイベントが発生すると、ステップＳ５０２の処理が呼び出される。
【０１３３】
ステップＳ５０２において、ＣＰＵ９１ａは、分析結果データベースＤＢ２から分析結果データを読み出す（ステップＳ５０２）。次に、ＣＰＵ９１ａは、読み出した分析結果データを含むシステムモニタ画面を画像表示部９２に表示させ（ステップＳ５０３）、処理を終了する。
【０１３４】
図２１Ａは、システムモニタ画面の一例を示す図である。図に示すように、システムモニタ画面Ｗ１は、分析結果を一覧表示する分析結果リスト表示領域Ａ１と、検体処理システム１のレイアウト図を含む搬送状況表示領域Ａ２と後述する検索ボタンＢとを含んでいる。さらに、分析結果リスト表示領域Ａ１は、検体ＩＤ、ラックＩＤ、前記検体ＩＤによって特定される検体の測定に使用された測定ユニットおよび当該検体の分析結果を含んでいる。また、分析結果リスト表示領域Ａ１の各行は、マウスのクリック操作等によって選択可能である。かかる分析結果リスト表示領域Ａ１においては、分析結果データベースＤＢ２に分析結果が存在する検体については、分析結果の数値情報が表示される。
【０１３５】
一方、分析結果データベースＤＢ２に分析結果が存在しない検体については、測定結果待ち、即ち、測定ユニットによって測定が実行されているがまだ測定結果が得られていない場合と、測定オーダが存在しない場合とがある。当該分析結果リスト表示領域Ａ１においては、測定ユニットによって測定が実行されているが、まだ測定結果が得られていない項目については測定結果待ちを示す「Ｐｅｎｄｉｎｇ」の表示がされ、測定オーダが存在しない項目については何も表示されない（空白）。また、測定結果の数値が表示範囲を超えている場合には「＋＋＋＋」の表示がされ、測定又は解析エラーが発生したためデータを表示できない場合には「−−−−」の表示がされる（図２４Ｄ参照）。このように、オペレータは分析結果リスト表示領域Ａ１の表示を確認するだけで、検体について、分析結果が存在する項目、測定結果待ちの項目、測定オーダが存在しない項目、測定結果が表示範囲を超えている項目、及び測定不能の項目を識別することができる。また、分析結果リスト表示領域Ａ１には、分析結果の数値情報が表示されるため、オペレータは分析結果を確認することができる。したがって、オペレータは異常な数値を示している検体等を容易に発見することができる。
【０１３６】
また、分析結果リスト表示領域Ａ１には、検体毎に測定に使用された測定ユニットを特定する情報が表示される。これにより、オペレータは分析結果リスト表示領域Ａ１の表示を確認するだけで、検体が何れの測定ユニットにより測定されたかを知ることができる。
【０１３７】
図２０Ｂは、検査情報管理装置９の分析結果情報検索処理の流れを示すフローチャートである。上記の図２１Ａに示すように、システムモニタ画面Ｗ１には検体の検索に用いられる検索ボタンＢが設けられている。この検索ボタンＢはオペレータによるマウスのクリック操作等により選択可能である。このようなシステムモニタ画面Ｗ１が表示されている状態において、オペレータは入力部９３を操作することにより、検索ボタンＢを選択することができる。検査情報管理装置９のＣＰＵ９１ａは、かかる検索ボタンＢの選択を受け付ける（ステップＳ５１１）。ＣＰＵ９１ａにおいて、検索ボタンＢの選択を受け付けるイベントが発生すると、ステップＳ５１２の処理が呼び出される。
【０１３８】
ステップＳ５１２において、ＣＰＵ９１ａは、検索条件入力ダイアログを表示する（ステップＳ５１２）。図２１Ｂは、検索条件入力ダイアログの一例を示す図である。この検索条件入力ダイアログＳＤでは、検体ＩＤ、ラックＩＤ、患者氏名、患者ＩＤ、施設名称等の検索キーの種類を選択するための選択部Ｐ１と、検索キーを入力するための入力ボックスＰ２とが設けられている。オペレータは、入力部９３の操作により、選択部Ｐ１において検索キーの種類を選択し、入力ボックスＰ２に検索キーを入力することができる。また、検索条件入力ダイアログＳＤには、マウスのクリック操作等により選択可能な検索実行ボタンＢ２が設けられている。オペレータは、上記のように検索キーの種類の選択及び検索キーの入力をした上で、マウスのクリック操作等により検索実行ボタンＢ２を選択すると、入力された検索条件（検索キーの種類及び検索キー）による分析結果データの検索を検査情報管理装置９に指示することができる。検査情報管理装置９のＣＰＵ９１ａは、かかる検索条件の入力及び検索開始の指示を受け付ける（ステップＳ５１３）。検索条件の設定及び検索開始の指示を受け付けるイベントが発生すると、ＣＰＵ９１ａは、検索条件に合致する分析結果を分析結果データベースＤＢ２から検索する（ステップＳ５１４）。次に、ＣＰＵ９１ａは、検索された分析結果データを表示するようにシステムモニタ画面を更新し（ステップＳ５１５）、処理を終了する。これにより、オペレータが分析結果及び搬送状況を確認したい検体がある場合に、かかる検体の分析結果をシステムモニタ画面に表示させることができる。また、オペレータがこの検体を選択することにより、後述のように検体の搬送状況を表示させることができる。
【０１３９】
図２０Ｃは、検査情報管理装置９の検体搬送状況表示処理の流れを示すフローチャートである。このようなシステムモニタ画面Ｗ１が表示されている状態において、オペレータは入力部９３を操作することにより、分析結果リスト表示領域Ａ１に表示されている任意の検体を選択することができる。検査情報管理装置９のＣＰＵ９１ａは、かかる検体の選択を受け付ける（ステップＳ５２１）。ＣＰＵ９１ａにおいて、検体の選択を受け付けるイベントが発生すると、ステップＳ５２２の処理が呼び出される。
【０１４０】
ステップＳ５２２において、ＣＰＵ９１ａは、選択された検体に含まれる検体ＩＤを含む搬送状況要求データをシステム制御装置８へ送信する（ステップＳ５２２）。その後、ＣＰＵ９１ａは、当該検体の搬送状況を示す搬送状況データの受信を待機する（ステップＳ５２３においてＮＯ）。搬送状況データを検査情報管理装置９が受信した場合には（ステップＳ５２３においてＹＥＳ）、ＣＰＵ９１ａは、受信した搬送状況データに基づいて、システムモニタ画面Ｗ１の搬送状況表示領域Ａ２に、現在のサンプルラックＬの位置、サンプルラックＬが過去に通過してきた経路、サンプルラックＬが将来通過する予定の経路、及び処理の残り時間を表示し（ステップＳ５２４）、処理を終了する。
【０１４１】
搬送状況データは、ラックＩＤ、上述した搬送状況データベースにおいて当該ラックＩＤに対応するレコードに含まれる各位置情報及び通過フラグ、並びに処理の残り時間の情報が含まれている。例えば、図２１Ａに示す搬送状況表示領域Ａ２の表示に必要な搬送状況データには、位置情報として、「ＳＴＹ，Ｘ１−１，Ｘ１−３，Ｘ１−４，Ｘ２−１，Ｘ２−２，Ｘ２−４，Ｘ３−１，Ｘ３−３，Ｘ３−４，ＲＳ，Ｃ２，ＳＫＹ」が含まれる。また、この搬送状況データは、ＳＴＹ〜Ｘ２−２に対応する通過フラグに「１」がセットされており、Ｘ２−４〜ＳＫＹに対応する通過フラグに「０」がセットされている。
【０１４２】
図２１Ａに示すように、搬送状況表示領域Ａ２においては、通過済みのサンプルラックＬの経路が実線で表示され、未通過のサンプルラックＬの経路が破線で表示される。このように、ＣＰＵ９１ａは、通過済みの経路と未通過の経路とを区別可能に表示する。これにより、オペレータは、現在のサンプルラックＬの位置を把握できるだけでなく、それまでに行われた処理の内容及びこれから行われる予定の処理の内容を把握することができる。また、搬送状況表示領域Ａ２には、サンプルラックＬが検体収容装置４に収容されるまでの残り時間が表示される。これにより、オペレータは、処理が完了するまでの残り時間を把握することができる。
【０１４３】
また、処理が完了した検体が選択された場合には、かかる検体を収容するサンプルラックＬの搬送経路は全て通過済みである。したがって、この場合の搬送状況表示領域Ａ２には、サンプルラックＬの搬送経路が全て実線表示される。オペレータは、検体が通過した搬送経路を確認することで、この検体がどのような搬送経路を通過し、どの測定ユニット５１で測定が行われたか等の検体の処理の履歴を把握することができる。また、この場合には、残り時間が「０」と表示されるようになっている。オペレータは、この残り時間表示を見ることによっても、この検体の処理が完了していることを容易に把握することができる。
【０１４４】
＜システム制御装置８の動作＞
次に、分析結果表示動作におけるシステム制御装置８の動作について説明する。図２２は、システム制御装置８の搬送状況通知処理の流れを示すフローチャートである。上述したように、検査情報管理装置９は、検体ＩＤを含む搬送状況要求データをシステム制御装置８に送信する。かかる搬送状況要求データは、システム制御装置８の通信インタフェース８１ｇにより受信される（ステップＳ６０１）。ＣＰＵ８１ａにおいて、搬送状況要求データを受信するイベントが発生すると、ステップＳ６０２の処理が呼び出される。
【０１４５】
ステップＳ６０２において、ＣＰＵ８１ａは、搬送状況要求データに含まれる検体ＩＤに対応する処理時間及び処理開始時刻をハードディスク８１ｄから読み出す（ステップＳ６０２）。次にＣＰＵ８１ａは、処理開始時刻から現在まで経過している時間（経過時間）を、処理時間から差し引くことで、検体の処理の残り時間を算出する（ステップＳ６０３）。また、この処理では、残り時間が０以下となった場合には（すなわち、検体の処理が完了している場合には）、残り時間が「０」とされる。
【０１４６】
次に、ＣＰＵ８１ａは、搬送状況要求データに含まれる検体ＩＤをキーとして、搬送状況データベースから当該検体ＩＤを含むレコードを検索し（ステップＳ６０４）、検索によって得られたレコードに含まれる位置情報及び通過フラグ並びに算出された残り時間を含む搬送状況データを検査情報管理装置９へ送信する（ステップＳ６０５）。その後、ＣＰＵ８１ａは、処理を終了する。
【０１４７】
＜検査情報管理装置９の表示画面の遷移＞
次に、検査情報管理装置９の表示画面の遷移について説明する。図２３は、検査情報管理装置９の表示画面の遷移の一例を示すフローチャートである。検体処理システム１を起動した直後は、検体処理システム１は、検体が測定されておらず、サンプルラックＬが搬送されておらず、且つ、検体の測定準備及びサンプルラックの搬送準備が完了しているスタンバイ状態にある。
【０１４８】
図２４Ａは、検体処理システム１がスタンバイ状態のときのシステムモニタ画面を示す図である。検体処理システム１がスタンバイ状態のときには、図２４Ａに示すようなシステムモニタ画面が表示される（ステップＳ７０１）。図２４Ａに示すシステムモニタ画面Ｗ１１は、サンプルラックＬが検体投入装置２に投入され、当該サンプルラックＬのレコードが搬送状況データベースに登録された状態におけるものである。このときのシステムモニタ画面Ｗ１１は、搬送状況表示領域Ａ２の中の検体投入装置２の位置（図１４におけるＳＴＹの位置）にのみサンプルラックＬを示す四角枠の画像（以下、「ラックマーク」という）ＬＭが描画されたものである。このときのラックマークＬＭは、ユーザによって選択されておらず、枠の中が非選択色の白色とされている。
【０１４９】
また、この状態では、検体処理システムの検体搬送装置３，３０１によってサンプルラックＬが１つも搬送されておらず、また、分析結果データベースＤＢ２に上記の検体投入装置２に投入されたサンプルラックＬに収容されている検体の分析結果データが登録されていないため、分析結果リスト表示領域Ａ１には、検体ＩＤ、ラックＩＤ、及び分析結果の数値データが１つも表示されていない。また、この分析結果リスト表示領域Ａ１における最上行は、選択されている状態ではないが仮選択状態となっており、この行が薄い青色の仮選択色で表示されている。さらに、残り時間の算出はまだ行われていないため、当該システムモニタ画面Ｗ１１には残り時間が表示されていない。
【０１５０】
上記のスタンバイ状態から検体の測定が開始されると、サンプルラックＬが検体搬送装置３によって搬送され、測定ユニット５１によって検体が測定される。これにより、測定中の検体が非選択状態のときのシステムモニタ画面に画面表示が変化する（ステップＳ７０２）。図２４Ｂは、検体が測定中のときのシステムモニタ画面を示す図である。図２４Ｂに示すシステムモニタ画面Ｗ１２は、２つのサンプルラックＬの検体が、それぞれ測定ユニット５１，５１によって各別に測定中であり、これらのサンプルラックＬ及び検体が選択されていない状態のときのものである。このときのシステムモニタ画面Ｗ１２においては、搬送状況表示領域Ａ２の中の搬送方向１番目の検体搬送装置３の測定ラインＬ１（図１４におけるＸ１−２の位置）及び搬送方向２番目の検体搬送装置３の測定ラインＬ１（図１４におけるＸ２−２の位置）のそれぞれにラックマークＬＭが描画されている。また、このときのラックマークＬＭは、ユーザによって選択されていないため、枠の中が非選択色の白色とされている。
【０１５１】
また、このシステムモニタ画面Ｗ１２の分析結果リスト表示領域Ａ１には、検体搬送装置３によって搬送されているサンプルラックＬに関する検体ＩＤ、ラックＩＤ、及び分析結果の数値データが表示されている。搬送方向２番目の検体搬送装置３の測定ラインＬ１上で搬送中のサンプルラックＬのラックＩＤは「００１」であり、このラックＩＤが分析結果リスト表示領域Ａ１に表示されている。このシステムモニタ画面Ｗ１２では、分析結果リスト表示領域Ａ１に表示されている何れの検体の情報も選択されておらず、分析結果リスト表示領域Ａ１の最上部に表示されている検体（検体ＩＤが「Ｐ１２１」の検体）に関する情報が仮選択状態となっており、この行が薄い青色の仮選択色で表示されている。さらに、何れの行（検体）も選択されていないため、当該システムモニタ画面Ｗ１２には残り時間が表示されていない。
【０１５２】
かかる分析結果リスト表示領域Ａ１においては、測定結果の数値データが得られる都度、その数値が該当するセルに表示される。情報処理ユニット５２の解析処理により得られる測定結果の数値データは、測定項目によって得られる時刻が異なる。つまり、１つの検体「Ｐ１２２」の測定結果であっても、同一の測定方法により測定されるＲＢＣ及びＰＬＴの数値データは同時に得られるが、これらとは測定方法が異なるＨＧＢの数値データはＲＢＣ及びＰＬＴより後に取得される。したがって、図２４Ｂに示す画面においては、検体「Ｐ１２２」についてＲＢＣ及びＰＬＴの数値データが得られており、これらは表示されているが、この時点では当該検体のＨＧＢ、ＨＣＴ及びＷＢＣの数値データは得られていないため、対応するセルに測定結果待ちを示す「Ｐｅｎｄｉｎｇ」の表示がなされている。
【０１５３】
また、他方のサンプルラックＬ（搬送方向１番目の検体搬送装置３の測定ラインＬ１上で搬送中のサンプルラックＬ）に関する検体ＩＤ、ラックＩＤ、及び分析結果の数値データは、分析結果リスト表示領域Ａ１に表示されていないが、分析結果リスト表示領域Ａ１の右側に設けられたスクロールバーをユーザが操作する分析結果リスト表示領域Ａ１の表示をスクロールさせることができ、これによって他方のサンプルラックＬに関する上記の情報を表示させることができる。
【０１５４】
上記の検体の非選択状態から、ユーザが分析結果リスト表示領域Ａ１の一行をクリックする操作を行うと、この行が選択され、測定中の検体が選択状態のときのシステムモニタ画面に画面表示が変化する（ステップＳ７０３）。図２４Ｃは、測定中の検体が選択状態のときのシステムモニタ画面を示す図である。検体が非選択状態のシステムモニタ画面Ｗ１２から分析結果リスト表示領域Ａ１の一行（図２４Ｃでは上から三行目。検体ＩＤが「Ｐ１２３」の行。）が選択されると、分析結果リスト表示領域Ａ１の最上部の行が仮選択色の薄い青色から非選択色の白色へと変化し、選択された上から三つ目の行が非選択色の白色から選択色の青色へと変化する。
【０１５５】
また、このシステムモニタ画面Ｗ１３では、処理状況表示領域Ａ２において、選択された検体を収容するサンプルラックＬのラックマークＬＭ、つまり、Ｘ２−２の位置に表示されているラックマークＬＭが、枠の中の色が青色に表示される。この枠の中の色が青色の表示は、このラックマークＬＭが示すサンプルラックＬに収容されている検体に関する情報が選択されていることを示している。さらに、処理状況表示領域Ａ２においては、選択されたラックマークＬＭが示すサンプルラックＬの通過済みの経路が実線で表示され、未通過の経路が破線で表示される。また、選択された検体の処理完了までの残り時間が表示される。
【０１５６】
次に、上記の状態からさらに時間が経過し、検体搬送装置３上に存在するサンプルラックＬに収容されている全ての検体について測定が完了した後には、これらのサンプルラックＬは検体搬送装置３によってさらに搬送され、搬送中の検体が選択されている状態のときのシステムモニタ画面に画面表示が変化する（ステップＳ７０４）。図２４Ｄは、搬送中の測定完了検体が選択状態のときのシステムモニタ画面を示す図である。搬送方向２番目の検体搬送装置３の測定ラインＬ１に存在していたサンプルラックＬが搬送された結果、搬送方向３番目の検体搬送装置３のスキップラインＬ２に到達しており、搬送方向１番目の検体搬送装置３の測定ラインＬ１に存在していたサンプルラックＬが搬送された結果、搬送方向２番目の検体搬送装置３のスキップラインＬ２に到達している。このため、図２４Ｄに示すシステムモニタ画面Ｗ１４においては、搬送状況表示領域Ａ２のＸ３−３及びＸ２−３の位置にそれぞれラックマークＬＭが表示されており、Ｘ３−３の位置のラックマークＬＭが選択状態となっている。
【０１５７】
また、搬送状況表示領域Ａ２の選択されたラックマークＬＭの経路も更新され、ラックマークＬＭよりも右側の経路が通過済みを示す実線で表示され、ラックマークＬＭよりも左側の経路が未通過を示す破線で表示される。また、残り時間の表示も更新される。さらに、搬送中のサンプルラックＬに収容されている全検体の分析が完了しているため、分析結果リスト表示領域Ａ１の全ての検体の情報について、分析結果の数値データが表示されている。また、図２４Ｄでは、検体ＩＤがＰ１２４の検体のＨＧＢ及びＨＣＴの測定において、測定エラーが発生したためＨＧＢ及びＨＣＴのセルに「−−−−」の表示がされており、検体ＩＤがＰ１２５の検体のＲＢＣの測定結果の数値が表示範囲を超えていたため、ＲＢＣのセルに「＋＋＋＋」の表示がされている。
【０１５８】
上記のシステムモニタ画面Ｗ１４の検索ボタンＢがクリックされることにより、検索条件入力ダイアログが表示される（ステップＳ７０５）。図２４Ｅ及び図２４Ｆは、検索条件入力ダイアログを示す図である。表示された直後の検索条件入力ダイアログＳＤ１では、図２４Ｅに示すように、検索キーの種類として「検体ＩＤ」が選択された状態となっている。図２４Ｅでは、オペレータによって検索キーの入力ボックスＰ２に「Ｐ１２３」が入力された状態を示している。
【０１５９】
オペレータが検索キーの種類として「ラックＩＤ」を選択した状態の検索条件入力ダイアログＳＤ２が図２４Ｆに示されている。この図２４Ｆでは、オペレータによって検索キーの入力ボックスＰ２に「００１」が入力された状態を示している。
【０１６０】
図２４Ｆに示した状態の検索条件入力ダイアログＳＤ２において、検索実行ボタンがクリックされると、分析結果リスト表示領域Ａ１においてラックＩＤが「００１」である検体の情報が選択されたシステムモニタ画面Ｗ１５が表示される（ステップＳ７０６）。図２４Ｇは、検体情報が検索された後のシステムモニタ画面を示す図である。図２４Ｇに示すとおり、ラックＩＤが「００１」のサンプルラックＬに収容されている検体は検体ＩＤが「Ｐ１２１」〜「Ｐ１２６」のもの等複数存在しており、システムモニタ画面Ｗ１５においてはこれらの検体に関する検体情報が全て選択される。つまり、分析結果リスト表示領域Ａ１における複数行が青色表示される。また、ラックＩＤが「００１」である、搬送方向３番目の検体搬送装置３のスキップラインＬ２に存在するサンプルラックＬを示すラックマークＬＭが選択状態となり、青色表示される。システムモニタ画面Ｗ１５のその他の画面構成は、システムモニタ画面Ｗ１４と同様である。
【０１６１】
さらに時間が経過し、搬送方向３番目の検体搬送装置３のスキップラインＬ２に存在していたサンプルラックＬが検体収容装置４に収容されると、検索した検体の搬送が完了したときのシステムモニタ画面に画面表示が変化する（ステップＳ７０７）。図２４Ｈは、選択された検体の搬送が完了したときのシステムモニタ画面を示す図である。このシステムモニタ画面Ｗ１６では、搬送状況表示領域Ａ２のＳＫＹ（図１４参照）の位置に、選択状態のラックマークＬＭが表示される。また、このラックマークＬＭに続く全ての経路が実線で表示され、全経路が通過済みであることが示される。さらに、残り時間は「０分」と表示され、このサンプルラックＬに収容された検体の処理が完了したことが示される。なお、このシステムモニタ画面Ｗ１６の分析結果リスト表示領域Ａ１の表示は、システムモニタ画面Ｗ１５のものと同様であるので、説明を省略する。
【０１６２】
以上のような構成とすることにより、オペレータは、検査情報管理装置９のシステムモニタ画面により、複数の検体の分析結果を一度に確認することができる。また、分析結果が得られていない検体については、分析結果が表示されないため、一目で処理が完了していないことを把握することができる。オペレータは、このような処理が完了していない検体の検体情報をリスト表示された複数の検体から選択することで、その検体の搬送状況を確認することができる。また、オペレータは、処理が完了している検体を選択することで、その検体の処理の履歴を確認することができる。
【０１６３】
また、システムモニタ画面には、検体処理システム１のレイアウト図が表示され、このレイアウト図上に選択された検体の位置が表示されるため、オペレータはシステム中のどの位置に検体が存在し、どのような処理が行われているのかを容易に把握することができる。また、前記レイアウト図に、検体が過去に通過した経路が表示されるため、検体がそれまでどの装置により処理されたのかを把握することができる。さらに、前記レイアウト図に、検体が将来通過する予定の経路が表示されるため、検体が将来どの装置によって処理されるのかを把握することができる。また、通過済の経路と未通過の経路とは異なる表示形式により表示され、オペレータは通過済の経路と未通過の経路とを容易に区別することが可能である。
【０１６４】
また、選択された検体の処理完了までの残り時間が表示されるため、オペレータが処理完了までの残り時間を知る必要がある検体がある場合に、この残り時間を容易に確認することができる。また、検体が将来通過する予定の経路とともに処理完了までの残り時間が表示されるため、オペレータは、どの装置による処理により、処理完了までどの程度の時間を要するのかを把握することができる。
【０１６５】
また、検体の分析結果を検索することができ、検索結果が分析結果リスト表示領域Ａ１に表示されるので、オペレータは分析結果及び搬送状況を確認したい検体の分析結果を検査情報管理装置９に検索させて、この検体の分析結果及び搬送状況（処理が完了している場合には処理履歴）を容易に表示させることができる。
【０１６６】
（その他の実施の形態）
なお、上述した実施の形態においては、システムモニタ画面Ｗ１に分析結果リスト表示領域Ａ１と搬送状況表示領域Ａ２とを設ける構成について述べたが、これに限定されるものではない。分析結果リストを表示するウィンドウを表示し、このウィンドウにおいて検体の選択を受け付け、選択された検体の搬送状況を、前記分析結果リストのウィンドウとは独立したウィンドウに表示する構成としてもよい。また、分析結果リストを画面に表示し、その分析結果リストから検体の選択を受け付け、分析結果リストの画面から、選択された検体の搬送状況を表示する画面に表示を切り替える構成としてもよい。
【０１６７】
また、上述した実施の形態においては、検査情報管理装置９に検体の分析結果リスト及び搬送状況を表示する構成について述べたが、これに限定されるものではない。システム制御装置８又は情報処理ユニット５２に検体の分析結果リスト及び搬送状況を表示させる構成としてもよい。
【０１６８】
また、上述した実施の形態においては、検体の処理の残り時間が０以下になった場合に、残り時間を「０」と表示する構成について述べたが、これに限定されるものではない。処理の残り時間が０以下となった場合に、負の数となった残り時間を表示する構成としてもよい。このようにすることにより、例えば、残り時間が「−５分」の場合には、オペレータはこの残り時間表示を見て、処理が完了してから５分が経過したことを知ることができる。このように、オペレータが処理完了後の経過時間を把握することができる。
【０１６９】
また、上述した実施の形態においては、検体処理システム１が、検体に含まれる血球を分類し、また血球種毎に血球を計数する血球分析装置５を備える構成について述べたが、これに限定されるものではない。検体処理システムが、免疫分析装置、血液凝固測定装置、生化学分析装置、尿分析装置等の血球分析装置以外の検体分析装置を備え、かかる検体分析装置の測定ユニットへ血液検体又は尿検体を搬送する構成としてもよい。
【０１７０】
また、上述した実施の形態においては、単一のコンピュータ９ａによりコンピュータプログラム９４ａの全ての処理を実行する構成について述べたが、これに限定されるものではなく、上述したコンピュータプログラム９４ａと同様の処理を、複数の装置（コンピュータ）により分散して実行する分散システムとすることも可能である。
【産業上の利用可能性】
【０１７１】
本発明の検体処理システム及び検体情報表示装置は、検体を測定する測定ユニットへ検体を搬送する検体処理システム及び前記検体処理システムにおける検体に関する情報を表示する検体情報表示装置として有用である。
【符号の説明】
【０１７２】
１      検体処理システム
２      検体投入装置
２ａ      制御部
２１      検体投入ユニット
２２      バーコード読取ユニット
２３      検体送出ユニット
３，３０１      検体搬送装置
３１      搬送機構
３２      制御部
３０２      コンベア
３０２ａ      測定ライン
３０２ｂ      スキップライン
４      検体収容装置
５      血球分析装置
５１      測定ユニット
５２      情報処理ユニット
６      塗抹標本作製装置
８      システム制御装置
８ａ      コンピュータ
８１      本体
８１ａ      ＣＰＵ
８１ｂ      ＲＯＭ
８１ｃ      ＲＡＭ
８１ｄ      ハードディスク
８４      可搬型記録媒体
８４ａ      システム制御プログラム
９      検査情報管理装置
９ａ      コンピュータ
９１ａ      ＣＰＵ
９１ｂ      ＲＯＭ
９１ｃ      ＲＡＭ
９１ｄ      ハードディスク
９２      画像表示部
９３      入力部
９４      可搬型記録媒体
９４ａ      検査情報管理プログラム
ＤＢ１      測定オーダデータベース
ＤＢ２      分析結果データベース
Ｔ      検体容器
Ｌ      サンプルラック
Ｌ１      測定ライン
Ｌ２      スキップライン
Ｗ１      システムモニタ画面
Ａ１      分析結果リスト表示領域
Ａ２      搬送状況表示領域
Ｂ      検索ボタン
ＳＤ      検索条件入力ダイアログ
Ｐ１      選択部
Ｐ２      入力ボックス
Ｂ２      検索実行ボタン
【図１】
2010133917.tif 000003
【図２】
2010133917.tif 000004
【図３】
2010133917.tif 000005
【図４】
2010133917.tif 000006
【図５】
2010133917.tif 000007
【図６】
2010133917.tif 000008
【図７】
2010133917.tif 000009
【図８】
2010133917.tif 000010
【図９】
2010133917.tif 000011
【図１０】
2010133917.tif 000012
【図１１】
2010133917.tif 000013
【図１２Ａ】
2010133917.tif 000014
【図１２Ｂ】
2010133917.tif 000015
【図１３】
2010133917.tif 000016
【図１４】
2010133917.tif 000017
【図１５】
2010133917.tif 000018
【図１６Ａ】
2010133917.tif 000019
【図１６Ｂ】
2010133917.tif 000020
【図１７Ａ】
2010133917.tif 000021
【図１７Ｂ】
2010133917.tif 000022
【図１８】
2010133917.tif 000023
【図１９】
2010133917.tif 000024
【図２０Ａ】
2010133917.tif 000025
【図２０Ｂ】
2010133917.tif 000026
【図２０Ｃ】
2010133917.tif 000027
【図２１Ａ】
2010133917.tif 000028
【図２１Ｂ】
2010133917.tif 000029
【図２２】
2010133917.tif 000030
【図２３】
2010133917.tif 000031
【図２４Ａ】
2010133917.tif 000032
【図２４Ｂ】
2010133917.tif 000033
【図２４Ｃ】
2010133917.tif 000034
【図２４Ｄ】
2010133917.tif 000035
【図２４Ｅ】
2010133917.tif 000036
【図２４Ｆ】
2010133917.tif 000037
【図２４Ｇ】
2010133917.tif 000038
【図２４Ｈ】
2010133917.tif 000039